(57)【要約】同期信号（ＳＳ）ブロックと制御リソースセット（コアセット）との多重化のための方法、システム、またはデバイスが説明される。一般に、説明される技法は、基地局が、ユーザ機器（ＵＥ）によって使用され得る制御情報を含むコアセットの位置をＵＥに知らせることを可能にする。具体的には、基地局は、コアセット構成の指示とコアセットをＳＳブロックと共に多重化するのに使用される多重化のタイプの指示とをＳＳブロック内でＵＥに送信し得る。従って、ＵＥは、ＳＳブロックを受信でき、ＵＥは、コアセット構成と、コアセットをＳＳブロックと共に多重化するのに使用される多重化のタイプの指示とに基づいて、コアセットの位置を決定し得る。その後、ＵＥは、追加システム情報を含むデータチャネルの位置を識別するためにコアセット内に含まれる制御情報を処理し得る。【選択図】図５
2020534740.tif 000002
【特許請求の範囲】
【請求項１】
ユーザ機器（ＵＥ）でのワイヤレス通信のための方法であって、
物理ブロードキャストチャネル（ＰＢＣＨ）を備える同期信号（ＳＳ）ブロックを受信することと、
前記ＰＢＣＨから、制御情報を含む制御リソースセット（コアセット）のコアセット構成を指示するコアセット構成指示を識別することと、
前記ＰＢＣＨから、前記コアセットおよび前記ＳＳブロックが時分割多重化され、周波数分割多重化され、またはその両方であるかどうかを指示する多重化指示を識別することと、
前記コアセット構成指示と前記多重化指示とに少なくとも部分的に基づいて前記コアセットを決定することと、
前記コアセット内の前記制御情報について監視することと
を備える方法。
【請求項２】
前記コアセットを決定することは、
前記多重化指示によって指示される多重化のタイプを識別することと、
多重化の前記タイプに対応する前記コアセット構成を識別することと
をさらに備える、請求項１に記載の方法。
【請求項３】
前記コアセットを決定することは、
前記コアセット構成指示と前記多重化指示とに少なくとも部分的に基づいて、前記コアセットの位置を識別することと、
前記コアセットの前記位置を識別することに少なくとも部分的に基づいて前記コアセットを決定することと
をさらに備える、請求項１に記載の方法。
【請求項４】
前記コアセット構成指示は、前記コアセットが前記ＳＳブロックと共に周波数分割多重化されることを前記多重化指示が指示する時に前記ＳＳブロックに関する前記コアセットの相対位置を指示する相対位置指示を備える、請求項１に記載の方法。
【請求項５】
前記相対位置指示は、前記コアセットが周波数領域で前記ＳＳブロックの上または下のどちらにあるのかを指示する、請求項４に記載の方法。
【請求項６】
前記コアセットおよび前記ＳＳブロックは、前記周波数領域でガードバンドによって分離される、請求項５に記載の方法。
【請求項７】
前記コアセットおよび前記ＳＳブロックは、異なる数秘術に関連する、請求項６に記載の方法。
【請求項８】
前記多重化指示および前記相対位置指示は、前記ＰＢＣＨ内で多重ビットインジケータに組み合わされる、請求項４に記載の方法。
【請求項９】
前記ＳＳブロックの中心周波数は、整数個のリソースブロックだけ前記コアセットの中心周波数からオフセットされ、前記相対位置指示は、前記オフセットを指示する、請求項４に記載の方法。
【請求項１０】
前記コアセットは、周波数領域で前記ＳＳブロックに隣接する、請求項１に記載の方法。
【請求項１１】
前記制御情報に少なくとも部分的に基づいて、データチャネル内の残りの最小システム情報（ＲＭＳＩ）の位置を決定すること
をさらに備える、請求項１に記載の方法。
【請求項１２】
前記データチャネルの位置は、基地局との通信に使用される別のダウンリンクチャネルの位置から周波数オフセットされる、請求項１１に記載の方法。
【請求項１３】
前記ＲＭＳＩは、前記データチャネルの前記位置と前記別のダウンリンクチャネルの前記位置との間の前記オフセットを指示する、請求項１２に記載の方法。
【請求項１４】
前記オフセットは、前記データチャネルの中心周波数と前記別のダウンリンクチャネルの中心周波数との間である、請求項１２に記載の方法。
【請求項１５】
前記オフセットは、前記データチャネルによってまたがれる帯域幅の縁のリソースブロックと前記別のダウンリンクチャネルによってまたがれる帯域幅の縁のリソースブロックとの間である、請求項１２に記載の方法。
【請求項１６】
前記コアセット構成に少なくとも部分的に基づいて残りの最小システム情報（ＲＭＳＩ）を備えるデータチャネルの構成を決定すること
をさらに備える、請求項１に記載の方法。
【請求項１７】
前記多重化指示は、残りの最小システム情報（ＲＭＳＩ）を備えるデータチャネルが前記ＳＳブロックと共に時分割多重化され、周波数分割多重化され、またはその両方であるかどうかをさらに指示する、請求項１に記載の方法。
【請求項１８】
前記コアセット内の制御チャネルの位置を識別することと、前記制御チャネルは、前記制御情報を備える、
前記コアセット内の前記制御チャネルの前記位置を識別することに少なくとも部分的に基づいて、前記制御チャネル内の前記制御情報を処理することと
をさらに備える、請求項１に記載の方法。
【請求項１９】
基地局でのワイヤレス通信のための方法であって、
１つまたは複数のユーザ機器（ＵＥ）に送信すべき同期信号（ＳＳ）ブロックを識別することと、前記ＳＳブロックは、同期信号と物理ブロードキャストチャネル（ＰＢＣＨ）とを備える、
制御リソースセット（コアセット）の制御チャネル内で前記１つまたは複数のＵＥに送信すべき制御情報を識別することと、
前記同期信号と前記ＰＢＣＨとを備える前記ＳＳブロックを送信することと、ここにおいて、前記ＰＢＣＨは、前記コアセットの構成を指示するコアセット構成指示と、前記コアセットおよび前記ＳＳブロックが時分割多重化され、周波数分割多重化され、またはその両方であるかどうかを指示する多重化指示とを備える、
前記コアセットの前記制御チャネル内で前記１つまたは複数のＵＥに前記制御情報を送信することと
を備える方法。
【請求項２０】
前記コアセット構成指示は、前記コアセットが前記ＳＳブロックと共に周波数分割多重化されることを前記多重化指示が指示する時に前記ＳＳブロックに関する前記コアセットの相対位置を指示する相対位置指示を備える、請求項１９に記載の方法。
【請求項２１】
前記相対位置指示は、前記コアセットが周波数領域で前記ＳＳブロックの上または下のどちらにあるのかを指示する、請求項２０に記載の方法。
【請求項２２】
前記多重化指示および前記相対位置指示は、前記ＰＢＣＨ内で多重ビットインジケータとして組み合わされる、請求項２０に記載の方法。
【請求項２３】
前記コアセットおよび前記ＳＳブロックは、周波数領域でガードバンドによって分離される、請求項２０に記載の方法。
【請求項２４】
前記コアセットおよび前記ＳＳブロックは、異なる数秘術に関連する、請求項２３に記載の方法。
【請求項２５】
前記ＳＳブロックの中心周波数は、整数個のリソースブロックだけ前記コアセットの中心周波数からオフセットされる、請求項２０に記載の方法。
【請求項２６】
前記コアセットは、周波数領域で前記ＳＳブロックに隣接する、請求項１９に記載の方法。
【請求項２７】
前記コアセット構成指示によって指示される前記コアセットの前記構成は、前記多重化指示によって指示される多重化のタイプに対応する、請求項１９に記載の方法。
【請求項２８】
前記制御情報は、前記１つまたは複数のＵＥのデータチャネル内の残りの最小システム情報（ＲＭＳＩ）の位置を指示する、請求項１９に記載の方法。
【請求項２９】
前記データチャネルの位置は、前記１つまたは複数のＵＥとの通信に使用される別のダウンリンクチャネルの位置から周波数オフセットされる、請求項２８に記載の方法。
【請求項３０】
前記ＲＭＳＩは、前記データチャネルの前記位置と前記別のダウンリンクチャネルの前記位置との間の前記オフセットを指示する、請求項２９に記載の方法。
【請求項３１】
前記オフセットは、前記データチャネルの中心周波数と前記別のダウンリンクチャネルの中心周波数との間である、請求項２９に記載の方法。
【請求項３２】
前記オフセットは、前記データチャネルによってまたがれる帯域幅の縁のリソースブロックと前記別のダウンリンクチャネルによってまたがれる帯域幅の縁のリソースブロックとの間である、請求項２９に記載の方法。
【請求項３３】
前記１つまたは複数のＵＥの残りの最小システム情報（ＲＭＳＩ）を備えるデータチャネルの構成は、前記コアセットの構成に基づく、請求項１９に記載の方法。
【請求項３４】
前記多重化指示は、前記１つまたは複数のＵＥの残りの最小システム情報（ＲＭＳＩ）を備えるデータチャネルおよび前記ＳＳブロックが時分割多重化され、周波数分割多重化され、またはその両方であるかどうかをさらに指示する、請求項１９に記載の方法。
【請求項３５】
ワイヤレス通信のためのモバイルデバイスであって、
物理ブロードキャストチャネル（ＰＢＣＨ）を備える同期信号（ＳＳ）ブロックを受信するための手段と、
前記ＰＢＣＨから、制御情報を含む制御リソースセット（コアセット）のコアセット構成を指示するコアセット構成指示を識別するための手段と、
前記ＰＢＣＨから、前記コアセットおよび前記ＳＳブロックが時分割多重化され、周波数分割多重化され、またはその両方であるかどうかを指示する多重化指示を識別するための手段と、
前記コアセット構成指示と前記多重化指示とに少なくとも部分的に基づいて前記コアセットを決定するための手段と、
前記コアセット内の前記制御情報について監視するための手段と
を備えるモバイルデバイス。
【請求項３６】
前記コアセットを決定するための前記手段は、
前記多重化指示によって指示される多重化のタイプを識別するための手段と、
多重化の前記タイプに対応する前記コアセット構成を識別するための手段と
を備える、請求項３５に記載のモバイルデバイス。
【請求項３７】
前記コアセットを決定するための前記手段は、
前記コアセット構成指示と前記多重化指示とに少なくとも部分的に基づいて、前記コアセットの位置を識別するための手段と、
前記コアセットの前記位置を識別することに少なくとも部分的に基づいて前記コアセットを決定するための手段と
を備える、請求項３５に記載のモバイルデバイス。
【請求項３８】
前記コアセット構成指示は、前記コアセットが前記ＳＳブロックと共に周波数分割多重化されることを前記多重化指示が指示する時に前記コアセットが周波数領域で前記ＳＳブロックの上または下のどちらにあるのかを指示する相対位置指示を備える、請求項３５に記載のモバイルデバイス。
【請求項３９】
前記ＳＳブロックの中心周波数は、整数個のリソースブロックだけ前記コアセットの中心周波数からオフセットされ、前記相対位置指示は、前記オフセットを指示する、請求項３８に記載のモバイルデバイス。
【請求項４０】
前記制御情報に少なくとも部分的に基づいて、データチャネル内の残りの最小システム情報（ＲＭＳＩ）の位置を決定するための手段
をさらに備える、請求項３５に記載のモバイルデバイス。
【請求項４１】
前記コアセット構成に少なくとも部分的に基づいて残りの最小システム情報（ＲＭＳＩ）を備えるデータチャネルの構成を決定するための手段
をさらに備える、請求項３５に記載のモバイルデバイス。
【請求項４２】
基地局でのワイヤレス通信のためのネットワークデバイスであって、
１つまたは複数のユーザ機器（ＵＥ）に送信すべき同期信号（ＳＳ）ブロックを識別するための手段と、前記ＳＳブロックは、同期信号と物理ブロードキャストチャネル（ＰＢＣＨ）とを備える、
制御リソースセット（コアセット）の制御チャネル内で前記１つまたは複数のＵＥに送信すべき制御情報を識別するための手段と、
前記同期信号と前記ＰＢＣＨとを備える前記ＳＳブロックを送信するための手段と、ここにおいて、前記ＰＢＣＨは、前記コアセットの構成を指示するコアセット構成指示と、前記コアセットおよび前記ＳＳブロックが時分割多重化され、周波数分割多重化され、またはその両方であるかどうかを指示する多重化指示とを備える、
前記コアセットの前記制御チャネル内で前記１つまたは複数のＵＥに前記制御情報を送信するための手段と
を備えるネットワークデバイス。
【請求項４３】
前記コアセット構成指示は、前記コアセットが前記ＳＳブロックと共に周波数分割多重化されることを前記多重化指示が指示する時に前記ＳＳブロックに関する前記コアセットの相対位置を指示する相対位置指示を備える、請求項４２に記載のネットワークデバイス。
【請求項４４】
前記相対位置指示は、前記コアセットが周波数領域で前記ＳＳブロックの上または下のどちらにあるのかを指示する、請求項４３に記載のネットワークデバイス。
【請求項４５】
前記ＳＳブロックの中心周波数は、整数個のリソースブロックだけ前記コアセットの中心周波数からオフセットされる、請求項４３に記載のネットワークデバイス。
【請求項４６】
ワイヤレス通信のためのモバイルデバイスであって、
プロセッサと、
前記プロセッサと電気通信しているメモリと、
前記メモリ内に記憶され、前記プロセッサによって実行可能であり、前記モバイルデバイスに
物理ブロードキャストチャネル（ＰＢＣＨ）を備える同期信号（ＳＳ）ブロックを受信することと、
前記ＰＢＣＨから、制御情報を含む制御リソースセット（コアセット）のコアセット構成を指示するコアセット構成指示を識別することと、
前記ＰＢＣＨから、前記コアセットおよび前記ＳＳブロックが時分割多重化され、周波数分割多重化され、またはその両方であるかどうかを指示する多重化指示を識別することと、
前記コアセット構成指示と前記多重化指示とに少なくとも部分的に基づいて前記コアセットを決定することと、
前記コアセット内の前記制御情報について監視することと
をさせる命令と
を備えるモバイルデバイス。
【請求項４７】
基地局でのワイヤレス通信のためのネットワークデバイスであって、
プロセッサと、
前記プロセッサと電気通信しているメモリと、
前記メモリ内に記憶され、前記プロセッサによって実行可能であり、前記ネットワークデバイスに
１つまたは複数のユーザ機器（ＵＥ）に送信すべき同期信号（ＳＳ）ブロックを識別することと、前記ＳＳブロックは、同期信号と物理ブロードキャストチャネル（ＰＢＣＨ）とを備える、
制御リソースセット（コアセット）の制御チャネル内で前記１つまたは複数のＵＥに送信すべき制御情報を識別することと、
前記同期信号と前記ＰＢＣＨとを備える前記ＳＳブロックを送信することと、ここにおいて、前記ＰＢＣＨは、前記コアセットの構成を指示するコアセット構成指示と、前記コアセットおよび前記ＳＳブロックが時分割多重化され、周波数分割多重化され、またはその両方であるかどうかを指示する多重化指示とを備える、
前記コアセットの前記制御チャネル内で前記１つまたは複数のＵＥに前記制御情報を送信することと
をさせる命令と
を備えるネットワークデバイス。
【請求項４８】
ワイヤレス通信のためのコードを記憶する非一時的コンピュータ可読媒体であって、前記コードは、
物理ブロードキャストチャネル（ＰＢＣＨ）を備える同期信号（ＳＳ）ブロックを受信し、
前記ＰＢＣＨから、制御情報を含む制御リソースセット（コアセット）のコアセット構成を指示するコアセット構成指示を識別し、
前記ＰＢＣＨから、前記コアセットおよび前記ＳＳブロックが時分割多重化され、周波数分割多重化され、またはその両方であるかどうかを指示する多重化指示を識別し、
前記コアセット構成の情報と前記多重化指示とに少なくとも部分的に基づいて前記コアセットを決定し、
前記コアセット内の前記制御情報について監視する
ためにプロセッサによって実行可能な命令を備える
非一時的コンピュータ可読媒体。
【発明の詳細な説明】
【相互参照】
【０００１】
[0001]  本特許出願は、それぞれが本願の譲受人に譲渡され、本明細書に明確に組み込まれている、２０１８年９月１３日に出願したＬＹ他による米国特許出願第１６／１３０，４６２号、名称「ＳＹＮＣＨＲＯＮＩＺＡＴＩＯＮ  ＳＩＧＮＡＬ  ＢＬＯＣＫ  ＡＮＤ  ＣＯＮＴＲＯＬ  ＲＥＳＯＵＲＣＥ  ＳＥＴ  ＭＵＬＴＩＰＬＥＸＩＮＧ」と２０１７年９月１５日に出願したＬＹ他による米国特許仮出願第６２／５５９，３６８号、名称「ＳＹＮＣＨＲＯＮＩＺＡＴＩＯＮ  ＳＩＧＮＡＬ  ＢＬＯＣＫ  ＡＮＤ  ＣＯＮＴＲＯＬ  ＲＥＳＯＵＲＣＥ  ＳＥＴ  ＭＵＬＴＩＰＬＥＸＩＮＧ」との優先権を主張するものである。
【技術分野】
【０００２】
[0002]  以下は、全般的にはワイヤレス通信に関し、より具体的には、同期信号（ＳＳ：synchronization signal）ブロックと制御リソースセット（コアセット（coreset））との多重化に関する。
【背景技術】
【０００３】
[0003]  ワイヤレス通信システムは、音声、ビデオ、パケットデータ、メッセージング、放送、その他など、様々なタイプの通信コンテンツを提供するために幅広く展開されている。これらのシステムは、使用可能なシステムリソース（例えば、時間と周波数と電力と）を共有することによって、複数のユーザとの通信をサポートできる場合がある。そのような多元接続システムの例は、Ｌｏｎｇ  Ｔｅｒｍ  Ｅｖｏｌｕｔｉｏｎ（ＬＴＥ（登録商標））システムまたはＬＴＥ−Ａｄｖａｎｃｅｄ（ＬＴＥ−Ａ）システムなどの第４世代（４Ｇ）システムと、Ｎｅｗ  Ｒａｄｉｏ（ＮＲ）システムと呼ばれる場合がある第５世代（５Ｇ）システムとを含む。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または離散フーリエ変換拡散ＯＦＤＭ（ＤＦＴ−Ｓ−ＯＦＤＭ：discrete Fourier transform-spread-OFDM）などの技術を採用し得る。ワイヤレス多元接続通信システムは、ユーザ機器（ＵＥ）としても知られ得る複数の通信デバイスに関する通信をそれぞれが同時にサポートする、複数の基地局またはネットワークアクセスノードを含み得る。
【０００４】
[0004]  位置の部のワイヤレス通信システムは、基地局とＵＥとの間のミリメートル波（ｍｍＷ）通信をサポートし得る。ｍｍＷ通信に関して基地局と同期するために、ＵＥは、基地局からＳＳブロック内で１つまたは複数の同期信号を受信でき、ＵＥは、例えば、基地局と同期するために、同期信号からタイミング情報を識別し得る。同期信号に加えて、ＳＳブロックは、ＵＥがワイヤレスネットワークにアクセスする（例えば、基地局を介して）のに使用できるシステム情報をも含み得る。いくつかの場合に、ＵＥが、ＵＥが基地局と通信することを可能にする追加パラメータを含むことのできる追加システム情報（例えば、残りの最小システム情報（ＲＭＳＩ：remaining minimum system information））を受信することが適当である場合もある。しかし、その場合に、追加システム情報は、ＳＳブロック内では送信され得ず、ＵＥが基地局からの追加システム情報を受信するために監視すべき適当なリソースを識別することが難しい場合がある。
【発明の概要】
【０００５】
[0005]  説明される技法は、同期信号（ＳＳ）ブロックと制御リソースセット（コアセット）との多重化をサポートする方法、システム、デバイス、または装置に関する。一般に、説明される技法は、基地局が、ユーザ機器（ＵＥ）（とおそらくは他のＵＥと）によって使用され得る制御情報を含むコアセットの位置をＵＥに知らせることを可能にする。具体的には、基地局は、コアセット構成の指示とコアセットをＳＳブロックと共に多重化するのに使用される多重化のタイプの指示とをＳＳブロック内でＵＥに送信し得る。従って、ＵＥは、ＳＳブロックを受信でき、ＵＥは、コアセット構成と、コアセットをＳＳブロックと共に多重化するのに使用される多重化のタイプの指示とに基づいて、コアセットの位置を決定できる可能性がある。その後、ＵＥは、ＵＥの追加システム情報を含むデータチャネルの位置を識別するためにコアセット内に含まれる制御情報を処理でき、ＵＥは、基地局との通信に関するシステム情報を受信し、使用し得る。
【０００６】
[0006]  ＵＥでのワイヤレス通信のための方法が説明される。この方法は、物理ブロードキャストチャネル（ＰＢＣＨ）を含むＳＳブロックを受信することと、ＰＢＣＨから、制御情報を含むコアセットのコアセット構成を指示するコアセット構成指示を識別することと、ＰＢＣＨから、コアセットおよびＳＳブロックが時分割多重化され、周波数分割多重化され、またはその両方であるかどうかを指示する多重化指示を識別することと、コアセット構成情報指示と多重化指示とに少なくとも部分的に基づいてコアセットを決定することと、コアセット内の制御情報について監視することとを含み得る。
【０００７】
[0007]  ワイヤレス通信のための装置が説明される。この装置は、ＰＢＣＨを含むＳＳブロックを受信するための手段と、ＰＢＣＨから、制御情報を含むコアセットのコアセット構成を指示するコアセット構成指示を識別するための手段と、ＰＢＣＨから、コアセットおよびＳＳブロックが時分割多重化され、周波数分割多重化され、またはその両方であるかどうかを指示する多重化指示を識別するための手段と、コアセット構成指示と多重化指示とに少なくとも部分的に基づいてコアセットを決定するための手段と、コアセット内の制御情報について監視するための手段とを含み得る。
【０００８】
[0008]  ワイヤレス通信のための別の装置が説明される。この装置は、プロセッサと、プロセッサと電気通信しているメモリと、メモリに記憶された命令と含み得る。命令は、プロセッサに、ＰＢＣＨを含むＳＳブロックを受信することと、ＰＢＣＨから、制御情報を含むコアセットのコアセット構成を指示するコアセット構成指示を識別することと、ＰＢＣＨから、コアセットおよびＳＳブロックが時分割多重化され、周波数分割多重化され、またはその両方であるかどうかを指示する多重化指示を識別することと、コアセット構成情報と多重化指示とに少なくとも部分的に基づいてコアセットを決定することと、コアセット内の制御情報について監視することとをさせるように動作可能であり得る。
【０００９】
[0009]  ワイヤレス通信のための非一時的コンピュータ可読媒体が説明される。非一時的コンピュータ可読媒体は、プロセッサにＰＢＣＨを含むＳＳブロックを受信し、ＰＢＣＨから、制御情報を含むコアセットのコアセット構成を指示するコアセット構成指示を識別し、ＰＢＣＨから、コアセットおよびＳＳブロックが時分割多重化され、周波数分割多重化され、またはその両方であるかどうかを指示する多重化指示を識別し、コアセット構成指示と多重化指示とに少なくとも部分的に基づいてコアセットを決定し、コアセット内の制御情報について監視させるように動作可能な命令を含み得る。
【００１０】
[0010]  上で説明される方法、装置、非一時的コンピュータ可読媒体のいくつかの例では、コアセットを決定することは、多重化指示によって指示される多重化のタイプを識別することをさらに含む。上で説明される方法、装置、非一時的コンピュータ可読媒体のいくつかの例は、多重化のタイプに対応する、コアセット構成指示によって指示されるコアセット構成を識別するためのプロセス、特徴、手段、または命令をさらに含み得る。
【００１１】
[0011]  上で説明される方法、装置、非一時的コンピュータ可読媒体のいくつかの例では、コアセットを決定することは、コアセット構成指示と多重化指示とに少なくとも部分的に基づいて、コアセットの位置を識別することをさらに含む。上で説明される方法、装置、非一時的コンピュータ可読媒体のいくつかの例は、コアセットの位置を識別することに少なくとも部分的に基づいてコアセットを決定するためのプロセス、特徴、手段、または命令をさらに含み得る。
【００１２】
[0012]  上で説明される方法、装置、非一時的コンピュータ可読媒体のいくつかの例では、コアセット構成指示は、コアセットがＳＳブロックと共に周波数分割多重化され得ることを多重化指示が指示する時にＳＳブロックに関するコアセットの相対位置を指示する相対位置指示を備える。上で説明される方法、装置、非一時的コンピュータ可読媒体のいくつかの例では、相対位置指示は、コアセットが周波数領域でＳＳブロックの上または下のどちらにあり得るのかを指示する。上で説明される方法、装置、非一時的コンピュータ可読媒体のいくつかの例では、コアセットは、周波数領域でＳＳブロックに隣接するものであり得る。
【００１３】
[0013]  上で説明される方法、装置、非一時的コンピュータ可読媒体のいくつかの例では、多重化指示および相対位置指示は、ＰＢＣＨ内で多重ビットインジケータとして組み合わされ得る。上で説明される方法、装置、非一時的コンピュータ可読媒体のいくつかの例では、コアセットおよびＳＳブロックは、ガードバンドによって分離され得る。上で説明される方法、装置、非一時的コンピュータ可読媒体のいくつかの例では、コアセットおよびＳＳブロックは、異なる数秘術に関連し得る。上で説明される方法、装置、非一時的コンピュータ可読媒体のいくつかの例では、ＳＳブロックの中心周波数は、整数個のリソースブロックだけコアセットの中心周波数からオフセットされ得る。
【００１４】
[0014]  上で説明される方法、装置、非一時的コンピュータ可読媒体のいくつかの例は、制御情報に少なくとも部分的に基づいて、データチャネル内の残りの最小システム情報（ＲＭＳＩ）を決定するためのプロセス、特徴、手段、または命令をさらに含み得る。上で説明される方法、装置、非一時的コンピュータ可読媒体のいくつかの例では、データチャネルの位置は、基地局との通信に使用される別のダウンリンクチャネルの位置から周波数オフセットされ得る。
【００１５】
[0015]  上で説明される方法、装置、非一時的コンピュータ可読媒体のいくつかの例では、ＲＭＳＩは、データチャネルの位置と別のダウンリンクチャネルの位置との間のオフセットを指示する。上で説明される方法、装置、非一時的コンピュータ可読媒体のいくつかの例では、オフセットは、データチャネルの中心周波数と別のダウンリンクチャネルの中心周波数との間にあり得る。上で説明される方法、装置、非一時的コンピュータ可読媒体のいくつかの例では、オフセットは、データチャネルによってまたがれる帯域幅の縁のリソースブロックと別のダウンリンクチャネルによってまたがれる帯域幅の縁のリソースブロックとの間にあり得る。
【００１６】
[0016]  上で説明される方法、装置、非一時的コンピュータ可読媒体のいくつかの例は、コアセット構成に少なくとも部分的に基づいてＲＭＳＩを含むデータチャネルの構成を決定するためのプロセス、特徴、手段、または命令をさらに含み得る。上で説明される方法、装置、非一時的コンピュータ可読媒体のいくつかの例では、多重化指示は、ＲＭＳＩを含むデータチャネルおよびＳＳブロックが時分割多重化され、周波数分割多重化され、またはその両方であり得るかどうかをさらに指示する。
【００１７】
[0017]  上で説明される方法、装置、非一時的コンピュータ可読媒体のいくつかの例は、ＰＢＣＨから、コアセットの位置の指示を識別するためのプロセス、特徴、手段、または命令をさらに含み得る。上で説明される方法、装置、非一時的コンピュータ可読媒体のいくつかの例は、制御情報を含むコアセット内の制御チャネルの位置を識別するためのプロセス、特徴、手段、または命令をさらに含み得る。上で説明される方法、装置、非一時的コンピュータ可読媒体のいくつかの例は、コアセット内の制御チャネルの位置を識別することに少なくとも部分的に基づいて、制御チャネル内の制御情報を処理するためのプロセス、特徴、手段、または命令をさらに含み得る。
【００１８】
[0018]  基地局でのワイヤレス通信のための方法が説明される。この方法は、１つまたは複数のＵＥに送信すべきＳＳブロックを識別することと、ＳＳブロックは、同期信号とＰＢＣＨとを含む、コアセットの制御チャネル内で１つまたは複数のＵＥに送信すべき制御情報を識別することと、同期信号とＰＢＣＨとを含むＳＳブロックを送信することと、ここにおいて、ＰＢＣＨは、コアセットの構成を指示するコアセット構成指示と、コアセットおよびＳＳブロックが時分割多重化され、周波数分割多重化され、またはその両方であるかどうかを指示する多重化指示とを含む、コアセットの制御チャネル内でＵＥに制御情報を送信することとを含み得る。
【００１９】
[0019]  基地局でのワイヤレス通信のための装置が説明される。この装置は、１つまたは複数のＵＥに送信すべきＳＳブロックを識別するための手段と、ＳＳブロックは、同期信号とＰＢＣＨとを含む、コアセットの制御チャネル内で１つまたは複数のＵＥに送信すべき制御情報を識別するための手段と、同期信号とＰＢＣＨとを含むＳＳブロックを送信するための手段と、ここにおいて、ＰＢＣＨは、コアセットの構成を指示するコアセット構成指示と、コアセットおよびＳＳブロックが時分割多重化され、周波数分割多重化され、またはその両方であるかどうかを指示する多重化指示とを含む、コアセットの制御チャネル内でＵＥに制御情報を送信するための手段とを含み得る。
【００２０】
[0020]  基地局でのワイヤレス通信のための別の装置が説明される。この装置は、プロセッサと、プロセッサと電気通信しているメモリと、メモリ内に記憶された命令とを含み得る。命令は、プロセッサに１つまたは複数のＵＥに送信すべきＳＳブロックを識別することと、ＳＳブロックは、同期信号とＰＢＣＨとを含む、コアセットの制御チャネル内で１つまたは複数のＵＥに送信すべき制御情報を識別することと、同期信号とＰＢＣＨとを含むＳＳブロックを送信することと、ここにおいて、ＰＢＣＨは、コアセットの構成を指示するコアセット構成指示と、コアセットおよびＳＳブロックが時分割多重化され、周波数分割多重化され、またはその両方であるかどうかを指示する多重化指示とを含む、コアセットの制御チャネル内でＵＥに制御情報を送信することとをさせるように動作可能であり得る。
【００２１】
[0021]  基地局でのワイヤレス通信のための非一時的コンピュータ可読媒体が説明される。この非一時的コンピュータ可読媒体は、プロセッサに、１つまたは複数のＵＥに送信すべきＳＳブロックを識別することと、ＳＳブロックは、同期信号とＰＢＣＨとを含む、コアセットの制御チャネル内で１つまたは複数のＵＥに送信すべき制御情報を識別することと、同期信号とＰＢＣＨとを含むＳＳブロックを送信することと、ここにおいて、ＰＢＣＨは、コアセットの構成を指示するコアセット構成指示と、コアセットおよびＳＳブロックが時分割多重化され、周波数分割多重化され、またはその両方であるかどうかを指示する多重化指示とを含む、コアセットの制御チャネル内でＵＥに制御情報を送信することとをさせるように動作可能な命令を含み得る。
【００２２】
[0022]  上で説明される方法、装置、非一時的コンピュータ可読媒体のいくつかの例では、コアセット構成指示によって指示されるコアセット構成は、多重化指示によって指示される多重化のタイプに対応する。上で説明される方法、装置、非一時的コンピュータ可読媒体のいくつかの例では、コアセット構成指示は、コアセットがＳＳブロックと共に周波数分割多重化され得ることを多重化指示が指示する時にＳＳブロックに関するコアセットの相対位置を指示する相対位置指示を含む。上で説明される方法、装置、非一時的コンピュータ可読媒体のいくつかの例では、相対位置指示は、コアセットが周波数領域でＳＳブロックの上または下のどちらにあり得るのかを指示する。上で説明される方法、装置、非一時的コンピュータ可読媒体のいくつかの例では、コアセットは、周波数領域でＳＳブロックに隣接するものであり得る。
【００２３】
[0023]  上で説明される方法、装置、非一時的コンピュータ可読媒体のいくつかの例では、多重化指示および相対位置指示は、ＰＢＣＨ内で多重ビットインジケータとして組み合わされ得る。上で説明される方法、装置、非一時的コンピュータ可読媒体のいくつかの例では、コアセットおよびＳＳブロックは、ガードバンドによって分離され得る。上で説明される方法、装置、非一時的コンピュータ可読媒体のいくつかの例では、コアセットおよびＳＳブロックは、異なる数秘術に関連し得る。上で説明される方法、装置、非一時的コンピュータ可読媒体のいくつかの例では、ＳＳブロックの中心周波数は、整数個のリソースブロックだけコアセットの中心周波数からオフセットされ得る。
【００２４】
[0024]  上で説明される方法、装置、非一時的コンピュータ可読媒体のいくつかの例では、制御情報は、１つまたは複数のＵＥのデータチャネル内のＲＭＳＩの位置を指示する。上で説明される方法、装置、非一時的コンピュータ可読媒体のいくつかの例では、データチャネルの位置は、１つまたは複数のＵＥとの通信に使用される別のダウンリンクチャネルの位置から周波数オフセットされ得る。上で説明される方法、装置、非一時的コンピュータ可読媒体のいくつかの例では、ＲＭＳＩは、データチャネルの位置と別のダウンリンクチャネルの位置との間のオフセットを指示する。上で説明される方法、装置、非一時的コンピュータ可読媒体のいくつかの例では、オフセットは、データチャネルの中心周波数と別のダウンリンクチャネルの中心周波数との間にあり得る。上で説明される方法、装置、非一時的コンピュータ可読媒体のいくつかの例では、オフセットは、データチャネルによってまたがれる帯域幅の縁のリソースブロックと別のダウンリンクチャネルによってまたがれる帯域幅の縁のリソースブロックとの間にあり得る。
【００２５】
[0025]  上で説明される方法、装置、非一時的コンピュータ可読媒体のいくつかの例では、１つまたは複数のＵＥのＲＭＳＩを含むデータチャネルの構成は、コアセット構成に基づき得る。上で説明される方法、装置、非一時的コンピュータ可読媒体のいくつかの例では、多重化指示は、１つまたは複数のＵＥのＲＭＳＩを含むデータチャネルおよびＳＳブロックが時分割多重化され、周波数分割多重化され、またはその両方であり得るかどうかをさらに指示する。
【図面の簡単な説明】
【００２６】
【図１】本開示の様々な態様による、同期信号（ＳＳ）ブロックと制御リソースセット（コアセット）との多重化をサポートするワイヤレス通信システムの例を示す図。
【図２】本開示の様々な態様による、同期信号（ＳＳ）ブロックと制御リソースセット（コアセット）との多重化をサポートするワイヤレス通信システムの例を示す図。
【図３】本開示の様々な態様によるＳＳブロックの例を示す図。
【図４Ａ】本開示の様々な態様による、ＳＳブロックとコアセットとデータチャネルとの例の位置付けを示す図。
【図４Ｂ】本開示の様々な態様による、ＳＳブロックとコアセットとデータチャネルとの例の位置付けを示す図。
【図４Ｃ】本開示の様々な態様による、ＳＳブロックとコアセットとデータチャネルとの例の位置付けを示す図。
【図５】本開示の様々な態様による、ＳＳブロックとコアセットと（並びに他のチャネル）の例の位置付けを示す図。
【図６】本開示の様々な態様による、ＳＳブロックとコアセットとの多重化をサポートするプロセスフローの例を示す図。
【図７】本開示の様々な態様による、ＳＳブロックとコアセットとの多重化をサポートするデバイスを示すブロック図。
【図８】本開示の様々な態様による、ＳＳブロックとコアセットとの多重化をサポートするデバイスを示すブロック図。
【図９】本開示の様々な態様による、ＳＳブロックとコアセットとの多重化をサポートするデバイスを示すブロック図。
【図１０】本開示の様々な態様による、ＳＳブロックとコアセットとの多重化をサポートするユーザ機器（ＵＥ）を含むシステムを示すブロック図。
【図１１】本開示の様々な態様による、ＳＳブロックとコアセットとの多重化をサポートするデバイスを示すブロック図。
【図１２】本開示の様々な態様による、ＳＳブロックとコアセットとの多重化をサポートするデバイスを示すブロック図。
【図１３】本開示の様々な態様による、ＳＳブロックとコアセットとの多重化をサポートする基地局を含むシステムを示すブロック図。
【図１４】本開示の様々な態様による、ＳＳブロックとコアセットとの多重化の方法を示す図。
【図１５】本開示の様々な態様による、ＳＳブロックとコアセットとの多重化の方法を示す図。
【詳細な説明】
【００２７】
[0036]  一部のワイヤレス通信システム（例えば、ミリメートル波（ｍｍＷ）システム）では、ワイヤレスデバイス（例えば、基地局とユーザ機器（ＵＥ）と）は、互いと通信するのに指向性送信またはビームフォーミングされた送信（例えば、ビーム）を利用し得る。いくつかの場合に、基地局は、基地局と１つまたは複数のＵＥとがｍｍＷ通信に関する適当なビームを識別することを可能にするためにビームスイープ手順を行い得る。その場合に、基地局は、１つまたは複数のＵＥが基地局と同期するのに使用するために各ビーム上で同期信号（ＳＳ）ブロックを送信することもできる。
【００２８】
[0037]  ＵＥは、基地局からＳＳブロックを受信でき、ＵＥは、基地局と同期するのにＳＳブロック内の信号を使用し得る。例えば、ＵＥは、ＳＳブロック内に含まれる同期信号を受信でき、ＵＥは、例えば、ＵＥが基地局と同期するのに使用できる同期信号に基づいてタイミング情報を識別し得る。ＵＥは、ＵＥが基地局にアクセスするのに使用できるＳＳブロック内のシステム情報をも受信し得る。いくつかの場合に、基地局と通信するための追加パラメータを含む可能性がある追加システム情報をＵＥが基地局から受信することが適当である場合もある。
【００２９】
[0038]  例えば、基地局は、ＳＳブロックの物理ブロードキャストチャネル（ＰＢＣＨ）内で一部のシステム情報を、データチャネル内で他の追加システム情報（例えば、ＳＩＢ１などのシステム情報ブロック（ＳＩＢ）と呼ばれ得、またはその中で運ばれ得る残りの最小システム情報（ＲＭＳＩ））を送信し得る。その場合に、基地局は、追加システム情報を含む、データチャネルのリソースをスケジューリングする制御情報（例えば、Ｔｙｐｅ０−ＰＤＣＣＨなどの物理ダウンリンク制御チャネル（ＰＤＣＣＨ））をコアセット内で送信し得る。いくつかの場合に、コアセットは、ＲＭＳＩスケジューリングを搬送するＰＤＣＣＨがマッピングされるコアセットであり得る。しかし、いくつかの例では、コアセットは、広範囲の時間リソースと周波数リソースとにマッピングされ得、ＵＥが追加システム情報を含むデータチャネルの位置を識別できるように、ＵＥがコアセットを識別することが、難しくなる場合がある。
【００３０】
[0039]  本明細書で説明されるように、基地局は、ＵＥがＵＥの追加システム情報を含むデータチャネルの位置を識別できるように、コアセットに関して監視すべき適当なリソースをＵＥに示す効率的な技法をサポートし得る。具体的には、基地局は、コアセット構成の指示と、コアセットとＳＳブロックとを多重化するのに使用される多重化のタイプの指示とをＵＥに送信し得る。ＵＥは、ＳＳブロック内でこれらの指示を受信し、コアセット構成と多重化のタイプとに基づいてコアセットに関して監視すべき適当なリソースを決定し得る。その後、ＵＥは、追加システム情報を含むデータチャネルの位置を識別するためにコアセット内の制御情報を処理でき、ＵＥは、基地局との通信に使用すべき追加システム情報をデータチャネル上で受信し得る。
【００３１】
[0040]  上で導入された開示の諸態様は、ワイヤレス通信システムの文脈で下で説明される。ＳＳブロックとコアセットとの多重化をサポートするプロセスおよびシグナリング交換の例が、その後に説明される。本開示の諸態様は、ＳＳブロックとコアセットとの多重化に関する装置図とシステム図と流れ図とによってさらに示され、これらを参照して説明される。
【００３２】
[0041]  図１は、本開示の様々な態様による、ＳＳブロックとコアセットとの多重化をサポートするワイヤレス通信システム１００の例を示す。ワイヤレス通信システム１００は、基地局１０５とＵＥ  １１５とコアネットワーク１３０とを含む。いくつかの例では、ワイヤレス通信システム１００は、Ｌｏｎｇ  Ｔｅｒｍ  Ｅｖｏｌｕｔｉｏｎ（ＬＴＥ）ネットワーク、ＬＴＥ−Ａｄｖａｎｃｅｄ（ＬＴＥ−Ａ）ネットワーク、またはＮｅｗ  Ｒａｄｉｏ（ＮＲ）ネットワークであり得る。いくつかの場合に、ワイヤレス通信システム１００は、機能強化された広帯域通信、超高信頼性（例えば、ミッションクリティカル）通信、短待ち時間通信、または低コスト低複雑さデバイスを用いる通信をサポートし得る。
【００３３】
[0042]  基地局１０５は、１つまたは複数の基地局アンテナを介してＵＥ  １１５とワイヤレスに通信し得る。本明細書で説明される基地局１０５は、ベーストランシーバステーション、無線基地局、アクセスポイント、無線トランシーバ、ＮｏｄｅＢ、ｅＮｏｄｅＢ（ｅＮＢ）、次世代Ｎｏｄｅ  Ｂまたはｇｉｇａ−ｎｏｄｅＢ（いずれもがｇＮＢと呼ばれ得る）、Ｈｏｍｅ  ＮｏｄｅＢ、Ｈｏｍｅ  ｅＮｏｄｅＢ、もしくは何らかの他の適切な用語を含むことができ、または当業者によってそのように呼ばれ得る。ワイヤレス通信システム１００は、異なるタイプの基地局１０５（例えば、マクロ基地局またはスモールセル基地局）を含み得る。本明細書で説明されるＵＥ  １１５は、マクロｅＮＢ、スモールセルｅＮＢ、ｇＮＢ、中継基地局、および類似物を含む様々なタイプの基地局１０５とネットワーク機器と通信できる場合がある。
【００３４】
[0043]  各基地局１０５は、その中で様々なＵＥ  １１５との通信がサポートされる特定の地理的カバレージエリア１１０に関連付けられ得る。各基地局１０５は、通信リンク１２５を介してそれぞれの地理的カバレージエリア１１０に通信カバレージを提供でき、基地局１０５とＵＥ  １１５との間の通信リンク１２５は、１つまたは複数の搬送波を利用し得る。ワイヤレス通信システム１００内に示された通信リンク１２５は、ＵＥ  １１５から基地局１０５へのアップリンク送信または基地局１０５からＵＥ  １１５へのダウンリンク送信を含み得る。ダウンリンク送信は、順方向リンク送信と呼ばれる場合もあり、アップリンク送信は、逆方向リンク送信と呼ばれる場合もある。
【００３５】
[0044]  基地局１０５の地理的カバレージエリア１１０は、地理的カバレージエリア１１０の一部だけを構成するセクタに分割され得、各セクタは、セルに関連付けられ得る。例えば、各基地局１０５は、マクロセル、スモールセル、ホットスポット、もしくは他のタイプのセル、またはその様々な組合せに通信カバレージを提供し得る。いくつかの例では、基地局１０５は、可動にでき、従って、移動する地理的カバレージエリア１１０に通信カバレージを提供し得る。いくつかの例では、異なる技術に関連する異なる地理的カバレージエリア１１０が、オーバーラップでき、異なる技術に関連するオーバーラップする地理的カバレージエリア１１０は、同一の基地局１０５によってまたは異なる基地局１０５によってサポートされ得る。ワイヤレス通信システム１００は、例えば、異なるタイプの基地局１０５が様々な地理的カバレージエリア１１０にカバレージを提供する、異種ＬＴＥ／ＬＴＥ−Ａネットワークまたは異種ＮＲネットワークを含み得る。
【００３６】
[0045]  用語「セル」は、基地局１０５との通信（例えば、搬送波を介する）に使用される論理通信エンティティを指し、同一のまたは異なる搬送波を介して動作する隣接するセルを区別する識別子（例えば、物理セルＩＤ（ＰＣＩＤ）または仮想セル識別子（ＶＣＩＤ））に関連付けられ得る。いくつかの例では、搬送波は、複数のセルをサポートでき、異なるセルは、異なるタイプのデバイスにアクセスを提供できる異なるプロトコルタイプ（例えば、マシンタイプ通信（ＭＴＣ）、狭帯域モノのインターネット（ＮＢ−ＩｏＴ）、ｅｎｈａｎｃｅｄ  ｍｏｂｉｌｅ  ｂｒｏａｄｂａｎｄ（ｅＭＢＢ）、または他）に従って構成され得る。いくつかの場合に、用語「セル」は、論理エンティティがそれを介して動作する地理的カバレージエリア１１０の一部（例えば、セクタ）を指し得る。
【００３７】
[0046]  ＵＥ  １１５は、ワイヤレス通信システム１００全体に分散され得、各ＵＥ  １１５は、静止またはモバイルであり得る。ＵＥ  １１５は、モバイルデバイス、ワイヤレスデバイス、リモートデバイス、ハンドヘルドデバイス、もしくは加入者デバイス、または何らかの他の適切な用語と呼ばれる場合もあり、ここで、「デバイス」は、ユニット、局、端末、またはクライアントと呼ばれる場合もある。ＵＥ  １１５は、セルラー電話機、携帯情報端末（ＰＤＡ）、タブレットコンピュータ、ラップトップコンピュータ、またはパーソナルコンピュータなど、パーソナル電子デバイスであり得る。いくつかの例では、ＵＥ  １１５は、アプライアンス、車両、メーター、または類似物などの様々な物品内で実施され得る、ワイヤレスローカルループ（ＷＬＬ）局、モノのインターネット（ＩｏＴ）デバイス、インターネットオブエブリシング（ＩｏＥ）デバイス、もしくはＭＴＣデバイス、または類似物と呼ばれる場合もある。
【００３８】
[0047]  基地局１０５は、コアネットワーク１３０と通信し、互いと通信し得る。例えば、基地局１０５は、バックホールリンク１３２を介して（例えば、Ｓ１または他のインターフェースを介して）コアネットワーク１３０とインターフェースし得る。基地局１０５は、直接に（例えば、基地局１０５の間で直接に）または間接に（例えば、コアネットワーク１３０を介して）バックホールリンク１３４を介して（例えば、Ｘ２または他のインターフェースを介して）互いと通信し得る。
【００３９】
[0048]  コアネットワーク１３０は、ユーザ認証と、アクセス許可と、追跡と、インターネットプロトコル（ＩＰ）接続性と、他のアクセス機能、ルーティング機能、またはモビリティ機能とを提供し得る。コアネットワーク１３０は、少なくとも１つのモビリティ管理エンティティ（ＭＭＥ）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含むことができる発展型パケットコア（ＥＰＣ）であり得る。ＭＭＥは、ＥＰＣに関連する基地局１０５によってサービスされるＵＥ  １１５のモビリティ、認証、およびベアラ管理などの非アクセス層（例えば制御プレーン）機能を管理し得る。ユーザＩＰパケットは、それ自体がＰ−ＧＷに接続され得るＳ−ＧＷを介して転送され得る。Ｐ−ＧＷは、ＩＰアドレス割振り並びに他の機能を提供し得る。Ｐ−ＧＷは、ネットワークオペレータＩＰサービスに接続され得る。オペレータＩＰサービスは、インターネット、イントラネット、ＩＰマルチメディアサブシステム（ＩＭＳ）、またはパケット交換（ＰＳ）ストリーミングサービスへのアクセスを含み得る。
【００４０】
[0049]  ワイヤレス通信システム１００は、ミリメートル帯としても知られるスペクトルの極高周波（ＥＨＦ）領域（例えば、３０ＧＨｚから３００ＧＨｚまで）で動作し得る。いくつかの例では、ワイヤレス通信システム１００は、ＵＥ  １１５と基地局１０５との間のミリメートル波（ｍｍＷ）通信をサポートでき、それぞれのデバイスのＥＨＦアンテナは、極超短波（ＵＨＦ）アンテナよりさらに小さく、より狭い間隔を置かれ得る。いくつかの場合に、これは、ＵＥ  １１５内でのアンテナアレイの使用を容易にする可能性がある。しかし、ＥＨＦ送信の伝搬は、超高周波（ＳＨＦ）送信またはＵＨＦ送信より強い大気減衰と、より短いレンジとの対象になる可能性がある。本明細書で開示される技法は、１つまたは複数の異なる周波数領域を使用する送信にまたがって使用され得、これらの周波数領域にまたがる帯域の指定された使用は、国または規制主体によって異なる可能性がある。
【００４１】
[0050]  同期（例えば、セル獲得のための）は、同期ソース（例えば、基地局１０５）によって送信される同期信号または同期チャネルを使用して行われ得る。基地局１０５は、ディスカバリ参照信号を含む同期信号を送信し得る。同期信号は、プライマリ同期信号（ＰＳＳ）またはセカンダリ同期信号（ＳＳＳ）を含み得る。ワイヤレスネットワークへのアクセスを試みるＵＥ  １１５は、基地局１０５からのＰＳＳを検出することによって初期セル検索を行い得る。ＰＳＳは、スロットタイミングの同期を可能にでき、物理層アイデンティティ値を指示し得る。ＵＥ  １１５は、その後、ＳＳＳを受信し得る。ＳＳＳは、無線フレーム同期を可能にでき、セルを識別するＰＣＩＤを形成するために物理層アイデンティティ値と組み合わされ得るセルＩＤ値を提供し得る。ＳＳＳは、二重モードおよびサイクリックプレフィックス（ＣＰ）長の検出をも可能にし得る。ＳＳＳは、他のシステム情報（例えば、帯域幅、サブフレームインデックス）を獲得するのに使用され得る。ＰＢＣＨは、獲得に必要な追加システム情報（例えば、帯域幅、無線フレームインデックス／番号など）を獲得するのに使用され得る。いくつかの場合に、ＰＢＣＨは、所与のセルのマスタ情報ブロック（ＭＩＢ）と、１つまたは複数のシステム情報ブロック（ＳＩＢ）とを搬送し得る。
【００４２】
[0051]  一部のワイヤレス通信システム（例えば、ＮＲシステム内の）では、基地局１０５は、ディスカバリ参照信号または他の同期信号を含むことのできるＳＳブロックを送信し得る。例えば、ＳＳブロックは、ＰＳＳ（例えば、１つのＰＳＳシンボル）と、ＳＳＳ（例えば、１つのＳＳＳシンボル）と、ＰＢＣＨ（例えば、２つのＰＢＣＨシンボル）を含み得る。いくつかの例では、ＳＳブロック内に含まれる信号は、時分割多重化されたＰＳＳ、第１のＰＢＣＨ、ＳＳＳ、および第２のＰＢＣＨ（示された順序で送信される）または時分割多重化された第１のＰＢＣＨ、ＰＳＳ、ＳＳＳ、および第２のＰＢＣＨ（示された順序で送信される）など、時分割多重化され得る。従って、ＰＢＣＨ送信は、ＳＳブロック時間リソースのサブセット（例えば、ＳＳブロックの２つのシンボル）内で送信され得、同期信号（例えば、ＰＳＳおよびＳＳＳ）は、ＳＳブロック時間リソースの別のサブセット内で送信され得る。
【００４３】
[0052]  ｍｍＷ送信周波数（例えば、ＮＲ内の）を使用する展開では、複数のＳＳブロックが、ＳＳバースト内でスイープするビームを使用して異なる方向に送信され得、複数のＳＳバーストは、ＳＳバーストセット内で周期的に送信され得る。ＳＳバーストの持続時間は、本明細書でＳＳバーストセット測定ウィンドウと呼ばれる場合がある。ＳＳブロックがバースト中に（例えば、４ｍｓまたは５ｍｓのＳＳバーストセット測定ウィンドウ中に）送られる方向の個数は、異なる構成で異なる可能性があり、方向の個数は、基地局１０５が動作している帯域幅の関数であり得る。例えば、ＳＳブロックは、基地局１０５が０〜３ＧＨｚ範囲内で動作している時に４つの異なる方向に、基地局が３〜６ＧＨｚ範囲内で動作している時に８つの異なる方向に、基地局が６＋ＧＨｚ範囲内で動作している時に６４個までの異なる方向に送られ（例えば、ビームフォーミングされ）得る。
【００４４】
[0053]  ＵＥ  １１５は、ＳＳブロックを受信し、ＳＳブロックの同期信号とＳＳブロックのＰＢＣＨ内のシステム情報とに基づいて基地局１０５との同期を試み得る。いくつかの場合に、基地局は、ＳＳブロックのＰＢＣＨ内にＵＥ  １１５のシステム情報の一部を含めない場合がある。例えば、基地局１０５は、ＳＳブロックのＰＢＣＨ内で一部のシステム情報を、データチャネル内で他の追加システム情報（例えば、ＲＭＳＩ）を送信する場合がある。その場合に、基地局は、追加システム情報を含むデータチャネルのリソースをスケジューリングする制御情報をコアセット内で送信し得る。しかし、いくつかの例では、コアセットが、広範囲の時間リソースと周波数リソースとにマッピングされ得、ＵＥ  １１５がＵＥ  １１５の追加システム情報を含むデータチャネルの位置を識別できるように、ＵＥ  １１５がコアセットを識別することが、困難である場合がある。ワイヤレス通信システム１００は、ＵＥ  １１５（およびおそらくは他のＵＥ）が上で説明された制御情報に関して監視できるコアセットの位置をＵＥ  １１５に指示するための効率的な技法をサポートし得る。
【００４５】
[0054]  図２は、本開示の様々な態様による、ＳＳブロックとコアセットとの多重化をサポートするワイヤレス通信システム２００の例を示す。ワイヤレス通信システム２００は、図１を参照して説明された対応するデバイスの例とすることのできる基地局１０５−ａとＵＥ  １１５−ａとを含む。基地局１０５−ａは、カバレージエリア１１０−ａ内のワイヤレスデバイス（ＵＥ  １１５−ａを含む）と通信し得る。ワイヤレス通信システム２００は、ｍｍＷシステムの例であり得る。基地局１０５−ａは、セル獲得と同期とを容易にするために異なる方向に複数のビームフォーミングされたＳＳブロック２１０を送信できる（例えば、ＳＳバースト内で）。いくつかの例では、基地局１０５−ａは、４ｍｓのＳＳバーストセット測定ウィンドウ中に８つの異なる方向で８つのＳＳブロック２１０を送信し得る。ＵＥ  １１５−ａは、ＳＳブロック２１０を受信でき、ＳＳブロック２１０内に含まれる同期信号に基づいて基地局１０５−ａとの同期を試み得る。
【００４６】
[0055]  図３は、本開示の様々な態様に従って基地局（例えば、基地局１０５−ａ）によってＵＥ（例えば、ＵＥ  １１５−ａ）に送信され得るＳＳブロック２１０−ｇの例を示す。この例では、ＳＳブロック２１０−ｇは、第１のシンボル３０５−ａ内にＰＳＳ、第２のシンボル３０５−ｂ内に第１のＰＢＣＨ、第３のシンボル３０５−ｃ内にＳＳＳ、第４のシンボル３０５−ｄ内に第２のＰＢＣＨを含み得る。しかし、他の例では、ＳＳブロック２１０は、ＳＳブロック内で様々な形で多重化された１つまたは複数のＰＳＳとＳＳＳとＰＢＣＨとを含み得る。ＵＥ  １１５−ａは、ＳＳブロック２１０−ｇを受信でき、ＳＳブロック２１０−ｇに含まれる同期信号ＰＳＳとＳＳＳとに基づいて基地局１０５−ａとの同期を試み得る。
【００４７】
[0056]  ＳＳブロック２１０−ｇ内の同期信号に基づく初期セル同期を完了した後に、ＵＥ  １１５−ａは、ＵＥ  １１５−ａがワイヤレスネットワークへのアクセス（例えば、基地局１０５−ａを介する）を得るのに使用できるＳＳブロック２１０−ｇのＰＢＣＨ内のシステム情報を識別し得る。いくつかの例では、ＵＥ  １１５−ａが、例えば基地局１０５−ａと通信する時にＵＥ  １１５−ａが使用するための追加パラメータを含む、基地局１０５−ａからの追加システム情報（例えば、ＲＭＳＩ）を受信することが適当である場合もある。基地局１０５−ａは、データチャネル（例えば、物理ダウンリンク共有チャネル（ＰＤＳＣＨ））内でＵＥ  １１５−ａに追加システム情報（または追加システム情報の一部）を送信できる（またはブロードキャストする）。データチャネルの位置は、コアセット内で基地局１０５−ａによって送信された制御情報によって指示され得る。
【００４８】
[0057]  しかし、一部のワイヤレス通信システムでは、コアセットが、広範囲の時間リソースと周波数リソースとにマッピングされ得、ＵＥ  １１５−ａがコアセットに関して監視すべき適当なリソースを識別することが困難な場合がある。従って、ＵＥ  １１５−ａが、追加システム情報を受信できない場合があり、この情報がなければ、ＵＥ  １１５−ａは、基地局１０５−ａと通信できない可能性がある。基地局１０５−ａは、ＵＥ  １１５−ａ（およびおそらくは他のＵＥ）が制御情報に関して監視できるコアセットの位置をＵＥ  １１５−ａに示すための効率的な技法をサポートし得る。例えば、基地局１０５−ａは、コアセットの構成と、ＳＳブロック２１０と共にコアセットを多重化するのに使用される多重化のタイプとを示すことができ、ＵＥ  １１５−ａは、コアセット構成とＳＳブロック２１０と共にコアセットを多重化するのに使用される多重化のタイプとに基づいてコアセットの位置を識別し得る。ＵＥ  １１５−ａは、その後、追加システム情報を含むデータチャネルの位置を決定するためにコアセット内の制御情報を処理でき、ＵＥ  １１５−ａは、データチャネル上で追加システム情報を受信し得る。
【００４９】
[0058]  本明細書で説明されるように、コアセットおよびＳＳブロックは、様々な形で多重化され得、各場合に、基地局１０５−ａは、ＳＳブロックと共にコアセットを多重化するのに使用される多重化のタイプを示し得る。
【００５０】
[0059]  図４Ａは、ＳＳブロック２１０−ｈと共に時分割多重化されたコアセット４０５−ａを示す。この例では、基地局１０５−ａは、コアセットがＳＳブロック２１０と共に時分割多重化されることの指示をＳＳブロック２１０−ｈのＰＢＣＨ内でＵＥ  １１５−ａに送信し得る。
【００５１】
[0060]  図４Ｂは、コアセット４０５−ｂが周波数領域でＳＳブロック２１０−ｉの上になるようにＳＳブロック２１０−ｉと共に周波数分割多重化されているコアセット４０５−ｂを示す。この例では、基地局１０５−ａは、コアセットがＳＳブロック２１０と共に周波数分割多重化されることの指示と、コアセットが周波数領域でＳＳブロック２１０−ｉの上にある（例えば、コアセット４０５−ｂがＳＳブロック２１０−ｉより高い周波数で送信される）ことの指示とをＳＳブロック２１０−ｉのＰＢＣＨ内でＵＥ  １１５−ａに送信し得る。
【００５２】
[0061]  図４Ｃは、コアセット４０５−ｃが周波数領域でＳＳブロック２１０−ｊの下になるようにＳＳブロック２１０−ｊと共に周波数分割多重化されているコアセット４０５−ｃを示す。この例では、基地局１０５−ａは、コアセットがＳＳブロック２１０と共に周波数分割多重化されていることの指示と、コアセットが周波数領域でＳＳブロック２１０−ｊの下にある（例えば、コアセット４０５−ｂが、ＳＳブロック２１０−ｊより低い周波数で送信される）ことの指示とをＳＳブロック２１０−ｊのＰＢＣＨ内でＵＥ  １１５−ａに送信し得る。
【００５３】
[0062]  いくつかの場合に、コアセット４０５が周波数領域でＳＳブロック２１０の上または下にあることの指示は、その値または符号（例えば正または負）がその指示を提供する数であり得る。
【００５４】
[0063]  時分割多重化および周波数分割多重化の組合せは、コアセット４０５およびＳＳブロック２１０が時分割多重化と周波数分割多重化との両方を受けることができるように、ＳＳブロック２１０と共にコアセット４０５を多重化するのにも使用され得る。
【００５５】
[0064]  ＵＥ  １１５−ａが、コアセット４０５とＳＳブロック２１０とを多重化するのに使用される多重化のタイプの指示を受信した後に、ＵＥ  １１５−ａは、コアセットの位置を識別するのにこの情報を使用し得る。具体的には、ＵＥ  １１５−ａは、ＳＳブロック２１０のＰＢＣＨ内でコアセット４０５の構成を受信でき、コアセット構成と、コアセット４０５とＳＳブロック２１０とを多重化するのに使用される多重化のタイプ（例えば、周波数分割多重化（ＦＤＭ）、時分割多重化（ＴＤＭ）、または両方）とに基づいて、ＵＥ  １１５−ａは、コアセットに関して監視すべき適当なリソースを識別し得る。一例では、ＵＥ  １１５−ａは、異なるタイプの多重化に対応する複数のコアセット構成を含む１つまたは複数のテーブルへのアクセスを有し得る。従って、ＳＳブロック２１０のＰＢＣＨが、コアセット構成と多重化タイプとの指示を含む場合に、ＵＥ  １１５−ａは、多重化タイプに対応するテーブル（またはサブテーブル）にアクセスし、その後、対応するコアセット構成を識別し得る。いくつかの場合に、識別されたコアセット構成自体は、コアセットに関して監視すべき適当なリソースをＵＥ  １１５−ａに指示し得る。
【００５６】
[0065]  図５は、本開示の様々な態様による、ＳＳブロック２１０とコアセット４０５と（並びに他のチャネル）の例の位置付け５００を示す。この例では、コアセット情報（例えば、ＳＳブロック２１０のＰＢＣＨ内で受信される）は、ＳＳブロック２１０とコアセット４０５との間のオフセット５１０（例えば、ＳＳブロック２１０とコアセット４０５との中心周波数の間のオフセット）を指示し得る。従って、ＵＥ  １１５−ａは、オフセット５１０の指示と、コアセット４０５とＳＳブロック２１０とを多重化するのに使用される多重化のタイプ（例えば、ＴＤＭおよびＦＤＭ）とに基づいて、コアセットの位置を識別し得る。
【００５７】
[0066]  ＵＥ  １１５−ａが、コアセットの位置を識別した後に、ＵＥ  １１５−ａは、コアセット４０５の位置の識別に基づいて、基地局１０５−ａによって送信された制御情報を識別するために、コアセット内の制御情報に関して監視し得る。例えば、ＵＥ  １１５−ａは、ＵＥ  １１５−ａの制御情報を用いてコアセット４０５内の制御チャネルを識別するのにブラインド検出を行い得、ＵＥ  １１５−ａは、ＵＥ  １１５−ａの追加システム情報を含むデータチャネル（例えば、ＰＤＳＣＨ  ４１０）に関して監視すべき適当なリソースを識別するために制御情報を処理し得る。従って、ＵＥ  １１５−ａは、データチャネルに関して識別されたリソースを監視でき、ＵＥ  １１５−ａは、データチャネル上で追加システム情報を受信し得る。ＵＥ  １１５−ａは、その後、基地局１０５−ａと通信するのに追加システム情報を使用し得る。
【００５８】
[0067]  いくつかの例では、ＰＤＳＣＨ  ４１０内の追加システム情報（例えば、ＲＭＳＩまたは他のシステム情報（ＯＳＩ））は、ＵＥ  １１５−ａが基地局１０５−ａと通信するのに使用できる他のチャネル（例えば、他のダウンリンクチャネル５０５）の位置を指示し得る。例えば、追加システム情報は、ＰＤＳＣＨ  ４１０の位置に対する相対的な他のチャネルの位置を指示し得る。いくつかの場合に、追加システム情報は、ＰＤＳＣＨ  ４１０の中心周波数と他のチャネルの中心周波数との間のオフセット５１５を指示でき、他の場合に、追加システム情報は、データチャネルによってまたがれる帯域幅の縁にあるリソースブロックと他のダウンリンクチャネルによってまたがれる帯域幅の縁にあるリソースブロックとの間のオフセット５２０を指示し得る。これらの例では、ＵＥ  １１５−ａは、ＰＤＳＣＨ  ４１０内の追加システム情報に基づいて他のチャネルの位置を識別できる可能性があり、ＵＥ  １１５−ａは、他のチャネル上で基地局１０５−ａと通信し得る。
【００５９】
[0068]  図６は、本開示の様々な態様による、ＳＳブロックとコアセットとの多重化をサポートするプロセスフロー６００の例を示す。プロセスフロー６００は、図１〜５を参照して説明された基地局１０５の例とすることのできる、基地局１０５−ｂによって行われる技法の諸態様を示す。プロセスフロー６００は、図１〜５を参照して説明されたＵＥ  １１５の例とすることのできる、ＵＥ  １１５−ｂによって行われる技法の諸態様をも示す。
【００６０】
[0069]  いくつかの場合に、基地局１０５−ｂは、１つまたは複数のＵＥ（ＵＥ  １１５−ｂを含む）に送信すべき同期信号およびＰＢＣＨを含むＳＳブロックを識別し得る。基地局１０５−ｂは、コアセットの制御チャネル内で１つまたは複数のＵＥ（ＵＥ  １１５−ｂを含む）に送信すべき制御情報を識別することもできる。その後、６０５では、基地局１０５−ｂは、ＵＥ  １１５−ｂに同期信号とＰＢＣＨとを含むＳＳブロックを送信し得る。いくつかの場合に、ＰＢＣＨは、コアセットの構成を指示するコアセット構成指示と、コアセットおよびＳＳブロックが時分割多重化され、周波数分割多重化され、またはその両方であるかどうかを指示する多重化指示とを含み得る。
【００６１】
[0070]  ＵＥ  １１５−ｂは、コアセット構成指示と多重化指示とを受信でき、６１０で、ＵＥ  １１５−ｂは、コアセット構成指示と多重化指示とに基づいて、コアセットの構成とコアセットの位置とを識別し得る。すなわち、ＵＥ  １１５−ｂは、コアセット構成指示と多重化指示とに基づいて、コアセットを決定し得る。いくつかの例では、コアセット構成指示は、コアセットでの送信に使用される数秘術、ＵＥ  １１５−ｂが制御情報に関してコアセット内で監視すべき検索空間の帯域幅、ＵＥ  １１５−ｂが制御情報に関してコアセット内で監視すべき検索空間の中心周波数、コアセットを含むスロットのシンボル、および／または追加システム情報の送信に関連する周期性をも含み得る。
【００６２】
[0071]  いくつかの場合に、ＵＥ  １１５−ｂは、多重化指示によって指示された多重化のタイプを識別でき、ＵＥ  １１５−ｂは、多重化のタイプに対応する、コアセット構成指示によって指示されるコアセット構成を識別し得る。いくつかの場合に、ＵＥ  １１５−ｂは、コアセットがＳＳブロックと共に周波数分割多重化されることを多重化指示が指示する時にＳＳブロックに関するコアセットの相対位置を指示する相対位置指示をＰＢＣＨから識別し得る。いくつかの場合に、相対位置指示は、コアセットが周波数領域でＳＳブロックの上または下のどちらにあるのかを指示する。いくつかの場合に、多重化指示および相対位置指示は、ＰＢＣＨ内で多重ビットインジケータ（例えば、２ビットインジケータ、３ビットインジケータ、４ビットインジケータ、または何らかの他のビット数を使用して）として組み合わされる。いくつかの場合に、相対位置指示は、コアセットが周波数領域でＳＳブロックに隣接する（例えば、上でも下でもない）ことを指示し得る。いくつかの場合に、コアセットおよびＳＳブロックは、周波数領域でガードバンドによって分離される（例えば、コアセットおよびＳＳブロックが異なる数秘術に関連する時）。カードバンドは周波数帯域とされ得る。いくつかの場合に、ＳＳブロックの中心周波数は、整数個のリソースブロックだけコアセットの中心周波数からオフセットされる。
【００６３】
[0072]  その後、６１５では、ＵＥ  １１５−ｂは、コアセットの位置の識別に基づいてコアセット内で制御情報を受信でき、６２０では、ＵＥ  １１５−ｂは、制御情報に基づいてデータチャネル内のＲＭＳＩの位置を決定し得る。いくつかの場合に、ＵＥ  １１５−ｂは、コアセット構成に基づいて、ＵＥ  １１５−ｂのＲＭＳＩを含むデータチャネルの構成を決定し得る。さらに、いくつかの場合に、多重化指示は、ＲＭＳＩとＳＳブロックとを含むデータチャネルが、時分割多重化され、周波数分割多重化され、またはその両方であるかどうかをも指示する。その後、６２５では、ＵＥ  １１５−ｂは、データチャネル上で基地局１０５−ｂからＲＭＳＩを受信でき、ＵＥ  １１５−ｂは、ＲＭＳＩに基づいて基地局１０５−ｂとの通信の追加パラメータを識別し得る。
【００６４】
[0073]  いくつかの場合に、ＲＭＳＩを含むデータチャネルの位置は、基地局との通信に使用される別のダウンリンクチャネルの位置から周波数オフセットされる場合があり、ＲＭＳＩは、データチャネルの位置と別のダウンリンクチャネルの位置との間のオフセットを指示し得る。一例では、オフセットは、データチャネルの中心周波数と別のダウンリンクチャネルの中心周波数との間である。別の例では、オフセットは、データチャネルによってまたがれる帯域幅の縁のリソースブロックと別のダウンリンクチャネルによってまたがれる帯域幅の縁のリソースブロックとの間である。従って、６３０では、ＵＥ  １１５−ｂは、ＲＭＳＩに基づいて基地局１０５−ｂとの通信に使用すべき別のチャネルの位置を識別でき、６３５では、ＵＥ  １１５−ｂは、別のチャネル上で基地局１０５−ｂと通信し得る。
【００６５】
[0074]  図７は、本開示の様々な態様による、ＳＳブロックとコアセットとの多重化をサポートするワイヤレスデバイス７０５のブロック図７００を示す。ワイヤレスデバイス７０５は、本明細書で説明されるＵＥ  １１５の諸態様の例であり得る。ワイヤレスデバイス７０５は、受信器７１０と、ＵＥ通信マネージャ７１５と、送信器７２０とを含み得る。ワイヤレスデバイス７０５は、プロセッサをも含み得る。これらの構成要素のそれぞれは、互いと通信している（例えば、１つまたは複数のバスを介して）ものであり得る。
【００６６】
[0075]  受信器７１０は、様々な情報チャネル（例えば、制御チャネル、データチャネル、およびＳＳブロックとコアセットの多重化に関する情報など）に関連するパケット、ユーザデータ、または制御情報などの情報を受信し得る。情報は、デバイスの他の構成要素に渡され得る。受信器７１０は、図１０を参照して説明されるトランシーバ１０３５の諸態様の例であり得る。受信器７１０は、単一のアンテナまたはアンテナのセットを利用し得る。
【００６７】
[0076]  ＵＥ通信マネージャ７１５は、図１０を参照して説明されるＵＥ通信マネージャ１０１５の諸態様の例であり得る。ＵＥ通信マネージャ７１５および／またはその様々な副構成要素の少なくとも一部は、ハードウェア、プロセッサによって実行されるソフトウェア、ファームウェア、またはその任意の組合せで実施され得る。プロセッサによって実行されるソフトウェアで実施される場合に、ＵＥ通信マネージャ７１５および／またはその様々な副構成要素の少なくとも一部の機能は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、ディスクリートゲート論理もしくはトランジスタ論理、ディスクリートハードウェア構成要素、または本開示で説明される機能を行うように設計されたその任意の組合せによって実行され得る。
【００６８】
[0077]  ＵＥ通信マネージャ７１５および／またはその様々な副構成要素の少なくとも一部は、機能の諸部分が１つまたは複数の物理デバイスによって異なる物理位置で実施されるように分散されることを含めて、様々な位置に物理的に配置され得る。いくつかの例では、ＵＥ通信マネージャ７１５および／またはその様々な副構成要素の少なくとも一部は、本開示の様々な態様による別々の別個の構成要素であり得る。他の例では、ＵＥ通信マネージャ７１５および／またはその様々な副構成要素の少なくとも一部は、入出力構成要素、トランシーバ、ネットワークサーバ、別のコンピューティングデバイス、本開示で説明される１つもしくは複数の他の構成要素、または本開示の様々な態様によるその組合せを含むがこれに限定されない１つもしくは複数の他のハードウェア構成要素と組み合わされ得る。
【００６９】
[0078]  ＵＥ通信マネージャ７１５は、ＰＢＣＨを含むＳＳブロックを受信し、ＰＢＣＨから、制御情報を含むコアセットのコアセット構成を指示するコアセット構成指示を識別し、ＰＢＣＨから、コアセットおよびＳＳブロックが時分割多重化され、周波数分割多重化され、またはその両方であるかどうかを指示する多重化指示を識別し、コアセット構成指示と多重化指示とに基づいてコアセットを決定し、コアセット内の制御情報について監視し得る。
【００７０】
[0079]  送信器７２０は、デバイスの他の構成要素によって生成された信号を送信し得る。いくつかの例では、送信器７２０は、トランシーバモジュール内で受信器７１０とコロケートされ得る。例えば、送信器７２０は、図１０を参照して説明されるトランシーバ１０３５の諸態様の例であり得る。送信器７２０は、単一のアンテナまたはアンテナのセットを利用し得る。
【００７１】
[0080]  図８は、本開示の様々な態様による、ＳＳブロックとコアセットとの多重化をサポートするワイヤレスデバイス８０５のブロック図８００を示す。ワイヤレスデバイス８０５は、図７を参照して説明されたワイヤレスデバイス７０５またはＵＥ  １１５の諸態様の例であり得る。ワイヤレスデバイス８０５は、受信器８１０と、ＵＥ通信マネージャ８１５と、送信器８２０とを含み得る。ワイヤレスデバイス８０５は、プロセッサをも含み得る。これらの構成要素のそれぞれは、互いと通信している（例えば、１つまたは複数のバスを介して）ものであり得る。
【００７２】
[0081]  受信器８１０は、様々な情報チャネル（例えば、制御チャネル、データチャネル、およびＳＳブロックとコアセットとの多重化に関する情報など）に関連するパケット、ユーザデータ、または制御情報などの情報を受信し得る。情報は、デバイスの他の構成要素に渡され得る。受信器８１０は、図１０を参照して説明されるトランシーバ１０３５の諸態様の例であり得る。受信器８１０は、単一のアンテナまたはアンテナのセットを利用し得る。
【００７３】
[0082]  ＵＥ通信マネージャ８１５は、図１０を参照して説明されるＵＥ通信マネージャ１０１５の諸態様の例であり得る。ＵＥ通信マネージャ８１５は、同期マネージャ８２５と、コアセット構成マネージャ８３０と、コアセットロケータ８３５と、コアセットマネージャ８４０とを含み得る。
【００７４】
[0083]  同期マネージャ８２５は、ＰＢＣＨを含むＳＳブロックを受信し得る。コアセット構成マネージャ８３０は、制御情報を含むコアセットのコアセット構成を指示するコアセット構成指示をＰＢＣＨから識別し得る。いくつかの場合に、コアセットロケータ８３５は、多重化指示によって指示される多重化のタイプを識別でき、同期マネージャ８２５は、多重化のタイプに対応するコアセット構成指示によって指示されるコアセット構成を識別し得る。
【００７５】
[0084]  コアセットロケータ８３５は、コアセットおよびＳＳブロックが時分割多重化され、周波数分割多重化され、またはその両方であるかどうかを指示する多重化指示をＰＢＣＨから識別し得る。いくつかの場合に、コアセット構成指示は、コアセットがＳＳブロックと共に周波数分割多重化されることを多重化指示が指示する時にＳＳブロックに関するコアセットの相対位置を指示する相対位置指示を含む。いくつかの場合に、相対位置指示は、コアセットが周波数領域でＳＳブロックの上または下のどちらにあるのかを指示する。
【００７６】
[0085]  いくつかの場合に、多重化指示および相対位置指示は、ＰＢＣＨ内で多重ビットインジケータとして組み合わされる。いくつかの場合に、コアセットは、周波数領域でＳＳブロックに隣接する。いくつかの場合に、コアセットおよびＳＳブロックは、ガードバンドによって分離される。いくつかの場合に、コアセットおよびＳＳブロックは、異なる数秘術に関連する。いくつかの場合に、ＳＳブロックの中心周波数は、整数個のリソースブロックだけコアセットの中心周波数からオフセットされる。いくつかの場合に、コアセットロケータ８３５は、コアセット構成指示および多重化指示など、コアセットの位置の指示をＰＢＣＨから識別し得る。コアセットマネージャ８４０は、コアセット構成指示と多重化指示とに基づいてコアセットを決定し得る。コアセットマネージャ８４０は、コアセット内の制御情報に関して監視し得る。
【００７７】
[0086]  送信器８２０は、デバイスの他の構成要素によって生成された信号を送信し得る。いくつかの例では、送信器８２０は、トランシーバモジュール内で受信器８１０とコロケートされ得る。例えば、送信器８２０は、図１０を参照して説明されるトランシーバ１０３５の諸態様の例であり得る。送信器８２０は、単一のアンテナまたはアンテナのセットを利用し得る。
【００７８】
[0087]  図９は、本開示の様々な態様による、ＳＳブロックとコアセットとの多重化をサポートするＵＥ通信マネージャ９１５のブロック図９００を示す。ＵＥ通信マネージャ９１５は、図７、８、および１０を参照して説明されるＵＥ通信マネージャ７１５、ＵＥ通信マネージャ８１５、またはＵＥ通信マネージャ１０１５の諸態様の例であり得る。ＵＥ通信マネージャ９１５は、同期マネージャ９２０と、コアセット構成マネージャ９２５と、コアセットロケータ９３０と、コアセットマネージャ９３５と、システム情報マネージャ９４０と、制御情報マネージャ９４５とを含み得る。これらのモジュールのそれぞれは、互いと直接にまたは間接に（例えば、１つまたは複数のバスを介して）通信し得る。
【００７９】
[0088]  同期マネージャ９２０は、ＰＢＣＨを含むＳＳブロックを受信し得る。
【００８０】
[0089]  コアセット構成マネージャ９２５は、制御情報を含むコアセットのコアセット構成を指示するコアセット構成指示をＰＢＣＨから識別し得る。いくつかの場合に、コアセットロケータ９３０は、多重化指示によって指示される多重化のタイプを識別でき、コアセット構成マネージャ９２５は、多重化のタイプに対応するコアセット構成指示によって指示されるコアセット構成を識別し得る。
【００８１】
[0090]  コアセットロケータ９３０は、コアセットおよびＳＳブロックが時分割多重化され、周波数分割多重化され、またはその両方であるかどうかを指示する多重化指示をＰＢＣＨから識別し得る。いくつかの場合に、コアセットロケータ９３０は、コアセットがＳＳブロックと共に周波数分割多重化されることを多重化指示が指示する時にＳＳブロックに関するコアセットの相対位置を指示する相対位置指示をＰＢＣＨから識別し得る。いくつかの場合に、相対位置指示は、コアセットが周波数領域でＳＳブロックの上または下のどちらにあるのかを指示する。いくつかの場合に、多重化指示および相対位置指示は、ＰＢＣＨ内で多重ビットインジケータとして組み合わされる。いくつかの場合に、コアセットは、周波数領域でＳＳブロックに隣接する。いくつかの場合に、コアセットおよびＳＳブロックは、ガードバンドによって分離される。いくつかの場合に、コアセットおよびＳＳブロックは、異なる数秘術に関連する。いくつかの場合に、ＳＳブロックの中心周波数は、整数個のリソースブロックだけコアセットの中心周波数からオフセットされる。コアセットマネージャ９３５は、コアセット構成指示と多重化指示とに基づいてコアセットを決定し得る。
【００８２】
[0091]  システム情報マネージャ９４０は、制御情報に基づいてデータチャネル内のＲＭＳＩの位置を決定し得る。いくつかの場合に、システム情報マネージャ９４０は、コアセット構成に基づいてＲＭＳＩを含むデータチャネルの構成を決定し得る。いくつかの場合に、データチャネルの位置は、基地局との通信に使用される別のダウンリンクチャネルの位置から周波数オフセットされる。いくつかの場合に、ＲＭＳＩは、データチャネルの位置と別のダウンリンクチャネルの位置との間のオフセットを指示する。いくつかの場合に、オフセットは、データチャネルの中心周波数と別のダウンリンクチャネルの中心周波数との間である。いくつかの場合に、オフセットは、データチャネルによってまたがれる帯域幅の縁のリソースブロックと別のダウンリンクチャネルによってまたがれる帯域幅の縁のリソースブロックとの間である。いくつかの場合に、多重化指示は、ＲＭＳＩを含むデータチャネルおよびＳＳブロックが時分割多重化され、周波数分割多重化され、またはその両方であるかどうかをさらに指示する。
【００８３】
[0092]  いくつかの場合に、コアセットロケータ９３０は、コアセットの位置の指示をＰＢＣＨから識別し得る。その後、制御情報マネージャ９４５は、ＵＥの制御情報を含むコアセット内の制御チャネルの位置を識別し、コアセット内の制御チャネルの位置の識別に基づいて制御チャネル内の制御情報を処理し得る。制御情報マネージャ９４５は、コアセット内の制御情報に関して監視し得る。
【００８４】
[0093]  図１０は、本開示の様々な態様による、ＳＳブロックとコアセットとの多重化をサポートするデバイス１００５を含むシステム１０００の図を示す。デバイス１００５は、上で例えば図７および８を参照して説明された、ワイヤレスデバイス７０５、ワイヤレスデバイス８０５、またはＵＥ  １１５の構成要素の例とするかこれを含み得る。デバイス１００５は、ＵＥ通信マネージャ１０１５と、プロセッサ１０２０と、メモリ１０２５と、ソフトウェア１０３０と、トランシーバ１０３５と、アンテナ１０４０と、入出力コントローラ１０４５とを含む、通信を送信し、受信するための構成要素を含む両方向音声通信と両方向データ通信とのための構成要素を含み得る。これらの構成要素は、１つまたは複数のバス（例えば、バス１０１０）を介して電子通信しているものであり得る。デバイス１００５は、１つまたは複数の基地局１０５とワイヤレスに通信し得る。
【００８５】
[0094]  プロセッサ１０２０は、インテリジェントハードウェアデバイス（例えば、汎用プロセッサ、ＤＳＰ、中央処理装置（ＣＰＵ）、マイクロコントローラ、ＡＳＩＣ、ＦＰＧＡ、プログラマブル論理デバイス、ディスクリートゲート論理構成要素もしくはトランジスタ論理構成要素、ディスクリートハードウェア構成要素、またはその任意の組合せ）を含み得る。いくつかの場合に、プロセッサ１０２０は、メモリコントローラを使用してメモリアレイを動作させるように構成され得る。他の場合に、メモリコントローラは、プロセッサ１０２０に一体化され得る。プロセッサ１０２０は、様々な機能（例えば、ＳＳブロックとコアセットとの多重化をサポートする機能またはタスク）を行うためにメモリ内に記憶されたコンピュータ可読命令を実行するように構成され得る。
【００８６】
[0095]  メモリ１０２５は、ランダムアクセスメモリ（ＲＡＭ）と読取専用メモリ（ＲＯＭ）とを含み得る。メモリ１０２５は、実行された時にプロセッサに本明細書で説明される様々な機能を行うことをさせる命令を含むコンピュータ可読コンピュータ実行可能ソフトウェア１０３０を記憶し得る。いくつかの場合に、メモリ１０２５は、とりわけ、周辺構成要素またはデバイスとの相互作用などの基本的なハードウェア動作またはソフトウェア動作を制御することのできる基本入出力システム（ＢＩＯＳ）を含み得る。
【００８７】
[0096]  ソフトウェア１０３０は、ＳＳブロックとコアセットとの多重化をサポートするコードを含む、本開示の諸態様を実施するコードを含み得る。ソフトウェア１０３０は、システムメモリまたは他のメモリなどの非一時的コンピュータ可読媒体内に記憶され得る。いくつかの場合に、ソフトウェア１０３０は、プロセッサによって直接に実行可能であるのではなく、コンピュータに本明細書で説明される機能を行わせ得る（例えば、コンパイルされ実行される時に）。
【００８８】
[0097]  トランシーバ１０３５は、上で説明されたように１つまたは複数のアンテナ、有線リンク、またはワイヤレスリンクを介して両方向で通信し得る。例えば、トランシーバ１０３５は、ワイヤレストランシーバを表すことができ、別のワイヤレストランシーバと両方向で通信し得る。トランシーバ１０３５は、パケットを変調し、変調されたパケットを送信のためにアンテナに供給し、アンテナから受け取られたパケットを復調するモデムをも含み得る。
【００８９】
[0098]  いくつかの場合に、ワイヤレスデバイスは、単一のアンテナ１０４０を含み得る。しかし、いくつかの場合に、デバイスは、複数のワイヤレス送信を同時に送信しまたは受信できるものとすることのできる複数のアンテナ１０４０を有し得る。
【００９０】
[0099]  入出力コントローラ１０４５は、デバイス１００５の入力信号と出力信号とを管理し得る。入出力コントローラ１０４５は、デバイス１００５に一体化されていない周辺機器を管理することもできる。いくつかの場合に、入出力コントローラ１０４５は、外部周辺機器への物理接続またはポートを表し得る。いくつかの場合に、入出力コントローラ１０４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の既知のオペレーティングシステムなどのオペレーティングシステムを利用し得る。他の場合に、入出力コントローラ１０４５は、モデム、キーボード、マウス、タッチスクリーン、または同様のデバイスを表しまたはこれらと相互作用し得る。いくつかの場合に、入出力コントローラ１０４５は、プロセッサの一部として実施され得る。いくつかの場合に、ユーザは、入出力コントローラ１０４５を介してまたは入出力コントローラ１０４５によって制御されるハードウェア構成要素を介して、デバイス１００５と相互作用し得る。
【００９１】
[0100]  図１１は、本開示の様々な態様による、ＳＳブロックとコアセットとの多重化をサポートするワイヤレスデバイス１１０５のブロック図１１００を示す。ワイヤレスデバイス１１０５は、本明細書で説明される基地局１０５の諸態様の例であり得る。ワイヤレスデバイス１１０５は、受信器１１１０と、基地局通信マネージャ１１１５と、送信器１１２０とを含み得る。ワイヤレスデバイス１１０５は、プロセッサをも含み得る。これらの構成要素のそれぞれは、互いと通信している（例えば、１つまたは複数のバスを介して）ものであり得る。
【００９２】
[0101]  受信器１１１０は、様々な情報チャネル（例えば、制御チャネル、データチャネル、およびＳＳブロックとコアセットとの多重化に関する情報など）に関連するパケット、ユーザデータ、または制御情報などの情報を受信し得る。情報は、デバイスの他の構成要素に渡され得る。受信器１１１０は、図１３を参照して説明されるトランシーバ１３３５の諸態様の例であり得る。受信器１１１０は、単一のアンテナまたはアンテナのセットを利用し得る。
【００９３】
[0102]  基地局通信マネージャ１１１５は、図１３を参照して説明される基地局通信マネージャ１３１５の諸態様の例であり得る。基地局通信マネージャ１１１５および／またはその様々な副構成要素の少なくとも一部は、ハードウェア、プロセッサによって実行されるソフトウェア、ファームウェア、またはその任意の組合せで実施され得る。プロセッサによって実行されるソフトウェアで実施される場合に、基地局通信マネージャ１１１５および／またはその様々な副構成要素の少なくとも一部の機能は、汎用プロセッサ、ＤＳＰ、ＡＳＩＣ、ＦＰＧＡもしくは他のプログラマブル論理デバイス、ディスクリートゲート論理もしくはトランジスタ論理、または本開示で説明される機能を行うように設計されたその任意の組合せによって実行され得る。
【００９４】
[0103]  基地局通信マネージャ１１１５および／またはその様々な副構成要素の少なくとも一部は、機能の一部が１つまたは複数の物理デバイスによって異なる物理位置で実施されるように分散されることを含めて、様々な位置に物理的に配置され得る。いくつかの例では、基地局通信マネージャ１１１５および／またはその様々な副構成要素の少なくとも一部は、本開示の様々な態様による別々の別個の構成要素とし得る。他の例では、基地局通信マネージャ１１１５および／またはその様々な副構成要素の少なくとも一部は、入出力構成要素、トランシーバ、ネットワークサーバ、別のコンピューティングデバイス、本開示で説明される１つもしくは複数の他の構成要素、または本開示の様々な態様によるその組合せを含むがこれに限定されない１つもしくは複数の他のハードウェア構成要素と組み合わされ得る。
【００９５】
[0104]  基地局通信マネージャ１１１５は、１つまたは複数のＵＥに送信すべきＳＳブロックを識別することと、ＳＳブロックは、同期信号とＰＢＣＨとを含む、コアセットの制御チャネル内で１つまたは複数のＵＥに送信すべき制御情報を識別することと、同期信号とＰＢＣＨとを含むＳＳブロックを送信することと、ＰＢＣＨは、コアセットの構成を指示するコアセット構成指示と、コアセットおよびＳＳブロックが時分割多重化され、周波数分割多重化され、またはその両方であるかどうかを指示する多重化指示とを含む、コアセットの制御チャネル内でＵＥに制御情報を送信することができる。
【００９６】
[0105]  送信器１１２０は、デバイスの他の構成要素によって生成された信号を送信し得る。いくつかの例では、送信器１１２０は、トランシーバモジュール内で受信器１１１０とコロケートされ得る。例えば、送信器１１２０は、図１３を参照して説明されるトランシーバ１３３５の諸態様の例であり得る。送信器１１２０は、単一のアンテナまたはアンテナのセットを利用し得る。
【００９７】
[0106]  図１２は、本開示の様々な態様による、ＳＳブロックとコアセットとの多重化をサポートするワイヤレスデバイス１２０５のブロック図１２００を示す。ワイヤレスデバイス１２０５は、図１１を参照して説明されたワイヤレスデバイス１１０５または基地局１０５の諸態様の例であり得る。ワイヤレスデバイス１２０５は、受信器１２１０と、基地局通信マネージャ１２１５と、送信器１２２０とを含み得る。ワイヤレスデバイス１２０５は、プロセッサをも含み得る。これらの構成要素のそれぞれは、互いと通信している（例えば、１つまたは複数のバスを介して）ものであり得る。
【００９８】
[0107]  受信器１２１０は、様々な情報チャネル（例えば、制御チャネル、データチャネル、およびＳＳブロックとコアセットの多重化に関する情報など）に関連するパケット、ユーザデータ、または制御情報などの情報を受信し得る。情報は、デバイスの他の構成要素に渡され得る。受信器１２１０は、図１３を参照して説明されるトランシーバ１３３５の諸態様の例であり得る。受信器１２１０は、単一のアンテナまたはアンテナのセットを利用し得る。
【００９９】
[0108]  基地局通信マネージャ１２１５は、図１３を参照して説明される基地局通信マネージャ１３１５の諸態様の例であり得る。基地局通信マネージャ１２１５は、同期マネージャ１２２５と制御情報マネージャ１２３０とを含み得る。
【０１００】
[0109]  同期マネージャ１２２５は、１つまたは複数のＵＥに送信すべきＳＳブロックを識別でき、ＳＳブロックは、同期信号とＰＢＣＨとを含む。いくつかの場合に、同期マネージャ１２２５は、コアセットがＳＳブロックと共に周波数分割多重化されることを多重化指示が指示する時にＳＳブロックに関するコアセットの相対位置を指示する相対位置指示をＰＢＣＨ内で送信し得る。いくつかの場合に、同期マネージャ１２２５は、同期信号とＰＢＣＨとを含むＳＳブロックを送信でき、ここで、ＰＢＣＨは、コアセットの構成を指示するコアセット構成指示と、コアセットおよびＳＳブロックが時分割多重化され、周波数分割多重化され、またはその両方であるかどうかを指示する多重化指示とを含む。
【０１０１】
[0110]  いくつかの場合に、多重化指示は、１つまたは複数のＵＥのＲＭＳＩとＳＳブロックとを含むデータチャネルが、時分割多重化され、周波数分割多重化され、またはその両方であるかどうかをさらに指示する。いくつかの場合に、コアセット構成指示によって指示されるコアセット構成は、多重化指示によって指示される多重化のタイプに対応する。いくつかの場合に、相対位置指示は、コアセットが周波数領域でＳＳブロックの上または下のどちらにあるのかを指示する。いくつかの場合に、多重化指示および相対位置指示は、ＰＢＣＨ内で多重ビットインジケータとして組み合わされる。いくつかの場合に、コアセットおよびＳＳブロックは、ガードバンドによって分離される。いくつかの場合に、コアセットおよびＳＳブロックは、異なる数秘術に関連する。いくつかの場合に、ＳＳブロックの中心周波数は、整数個のリソースブロックだけコアセットの中心周波数からオフセットされる。いくつかの場合に、１つまたは複数のＵＥのＲＭＳＩを含むデータチャネルの構成は、コアセット構成に基づく。いくつかの場合に、コアセットは、周波数領域でＳＳブロックに隣接する。
【０１０２】
[0111]  制御情報マネージャ１２３０は、コアセットの制御チャネル内で１つまたは複数のＵＥに送信すべき制御情報を識別し、コアセットの制御チャネル内で１つまたは複数のＵＥに制御情報を送信し得る。いくつかの場合に、制御情報は、１つまたは複数のＵＥのＲＭＳＩを含むデータチャネルの位置を指示する。いくつかの場合に、データチャネルの位置は、１つまたは複数のＵＥとの通信に使用される別のダウンリンクチャネルの位置から周波数オフセットされる。いくつかの場合に、ＲＭＳＩは、データチャネルの位置と別のダウンリンクチャネルの位置との間のオフセットを指示する。いくつかの場合に、オフセットは、データチャネルの中心周波数と別のダウンリンクチャネルの中心周波数との間である。いくつかの場合に、オフセットは、データチャネルによってまたがれる帯域幅の縁のリソースブロックと別のダウンリンクチャネルによってまたがれる帯域幅の縁のリソースブロックとの間である。
【０１０３】
[0112]  送信器１２２０は、デバイスの他の構成要素によって生成された信号を送信し得る。いくつかの例では、送信器１２２０は、トランシーバモジュール内で受信器１２１０とコロケートされ得る。例えば、送信器１２２０は、図１３を参照して説明されるトランシーバ１３３５の諸態様の例であり得る。送信器１２２０は、単一のアンテナまたはアンテナのセットを利用し得る。
【０１０４】
[0113]  図１３は、本開示の様々な態様による、ＳＳブロックとコアセットとの多重化をサポートするデバイス１３０５を含むシステム１３００の図を示す。デバイス１３０５は、上で、例えば図１を参照して説明された基地局１０５の構成要素の例とし、またはこれを含み得る。デバイス１３０５は、基地局通信マネージャ１３１５と、プロセッサ１３２０と、メモリ１３２５と、ソフトウェア１３３０と、トランシーバ１３３５と、アンテナ１３４０と、ネットワーク通信マネージャ１３４５と、局間通信マネージャ１３５０とを含む、通信を送信し、受信するための構成要素を含む両方向音声通信と両方向データ通信とのための構成要素を含み得る。これらの構成要素は、１つまたは複数のバス（例えば、バス１３１０）を介して電子通信しているものであり得る。デバイス１３０５は、１つまたは複数のＵＥ  １１５とワイヤレスに通信し得る。
【０１０５】
[0114]  プロセッサ１３２０は、インテリジェントハードウェアデバイス（例えば、汎用プロセッサ、ＤＳＰ、ＣＰＵ、マイクロコントローラ、ＡＳＩＣ、ＦＰＧＡ、プログラマブル論理デバイス、ディスクリートゲート論理構成要素もしくはトランジスタ論理構成要素、ディスクリートハードウェア構成要素、またはその任意の組合せ）を含み得る。いくつかの場合に、プロセッサ１３２０は、メモリコントローラを使用してメモリアレイを動作させるように構成され得る。他の場合に、メモリコントローラは、プロセッサ１３２０に一体化され得る。プロセッサ１３２０は、様々な機能（例えば、ＳＳブロックとコアセットとの多重化をサポートする機能またはタスク）を行うためにメモリ内に記憶されたコンピュータ可読命令を実行するように構成され得る。
【０１０６】
[0115]  メモリ１３２５は、ＲＡＭとＲＯＭとを含み得る。メモリ１３２５は、実行された時にプロセッサに本明細書で説明される様々な機能を行わせる命令を含むコンピュータ可読コンピュータ実行可能ソフトウェア１３３０を記憶し得る。いくつかの場合に、メモリ１３２５は、とりわけ、周辺構成要素またはデバイスとの相互作用などの基本的なハードウェア動作またはソフトウェア動作を制御することのできるＢＩＯＳを含み得る。
【０１０７】
[0116]  ソフトウェア１３３０は、ＳＳブロックとコアセットとの多重化をサポートするコードを含む、本開示の諸態様を実施するコードを含み得る。ソフトウェア１３３０は、システムメモリまたは他のメモリなどの非一時的コンピュータ可読媒体内に記憶され得る。いくつかの場合に、ソフトウェア１３３０は、プロセッサによって直接に実行可能であるのではなく、コンピュータに本明細書で説明される機能を行わせ得る（例えば、コンパイルされ実行される時に）。
【０１０８】
[0117]  トランシーバ１３３５は、上で説明されたように１つまたは複数のアンテナ、有線リンク、またはワイヤレスリンクを介して両方向で通信し得る。例えば、トランシーバ１３３５は、ワイヤレストランシーバを表すことができ、別のワイヤレストランシーバと両方向で通信し得る。トランシーバ１３３５は、パケットを変調し、変調されたパケットを送信のためにアンテナに供給し、アンテナから受け取られたパケットを復調するモデムをも含み得る。
【０１０９】
[0118]  いくつかの場合に、ワイヤレスデバイスは、単一のアンテナ１３４０を含み得る。しかし、いくつかの場合に、デバイスは、複数のワイヤレス送信を同時に送信しまたは受信できるものとすることのできる複数のアンテナ１３４０を有し得る。
【０１１０】
[0119]  ネットワーク通信マネージャ１３４５は、コアネットワークとの通信（例えば、１つまたは複数の有線バックホールリンクを介する）を管理し得る。例えば、ネットワーク通信マネージャ１３４５は、１つまたは複数のＵＥ  １１５などのクライアントデバイスに関するデータ通信の転送を管理し得る。
【０１１１】
[0120]  局間通信マネージャ１３５０は、他の基地局１０５との通信を管理でき、他の基地局１０５と協力してＵＥ  １１５との通信を制御するためのコントローラまたはスケジューラを含み得る。例えば、局間通信マネージャ１３５０は、ビームフォーミングまたはｊｏｉｎｔ  ｔｒａｎｓｍｉｓｓｉｏｎなどの様々な緩衝軽減技法に関してＵＥ  １１５への送信のスケジューリングを調整し得る。いくつかの例では、局間通信マネージャ１３５０は、基地局１０５の間の通信を提供するために、Ｌｏｎｇ  Ｔｅｒｍ  Ｅｖｏｌｕｔｉｏｎ（ＬＴＥ）／ＬＴＥ−Ａワイヤレス通信ネットワーク技術内でＸ２インターフェースを提供し得る。
【０１１２】
[0121]  図１４は、本開示の様々な態様による、ＳＳブロックとコアセットとの多重化の方法１４００を示す流れ図を示す。方法１４００の動作は、本明細書で説明されるＵＥ  １１５またはその構成要素によって実施され得る。例えば、方法１４００の動作は、図７から１０を参照して説明されたＵＥ通信マネージャによって行われ得る。いくつかの例では、ＵＥ  １１５は、下で説明される機能を行うためにデバイスの機能要素を制御するためにコードのセットを実行し得る。それに加えてまたはその代わりに、ＵＥ  １１５は、特殊目的ハードウェアを使用して、下で説明される機能の態様を行い得る。
【０１１３】
[0122]  ブロック１４０５で、ＵＥ  １１５は、ＰＢＣＨを備えるＳＳブロックを受信し得る。ブロック１４０５の動作は、本明細書で説明される方法に従って行われ得る。ある種の例では、ブロック１４０５の動作の態様は、図７から１０を参照して説明された同期マネージャによって行われ得る。
【０１１４】
[0123]  ブロック１４１０で、ＵＥ  １１５は、ＰＢＣＨから、制御情報を含むコアセットのコアセット構成を指示するコアセット構成指示を識別し得る。ブロック１４１０の動作は、本明細書で説明される方法に従って行われ得る。ある種の例では、ブロック１４１０の動作の態様は、図７から１０を参照して説明されたコアセット構成マネージャによって行われ得る。
【０１１５】
[0124]  ブロック１４１５で、ＵＥ  １１５は、ＰＢＣＨから、コアセットおよびＳＳブロックが時分割多重化され、周波数分割多重化され、またはその両方であるかどうかを指示する多重化指示を識別し得る。ブロック１４１５の動作は、本明細書で説明される方法に従って行われ得る。ある種の例では、ブロック１４１５の動作の態様は、図７から１０を参照して説明されたコアセットロケータによって行われ得る。
【０１１６】
[0125]  ブロック１４２０で、ＵＥ  １１５は、コアセット構成指示と多重化指示とに少なくとも部分的に基づいてコアセットを決定し得る。ブロック１４２０の動作は、本明細書で説明される方法に従って行われ得る。ある種の例では、ブロック１４２０の動作の態様は、図７から１０を参照して説明されたコアセットマネージャによって行われ得る。
【０１１７】
[0126]  ブロック１４２５で、ＵＥ  １１５は、コアセット内の制御情報について監視し得る。ブロック１４２５の動作は、本明細書で説明される方法に従って行われ得る。ある種の例では、ブロック１４２５の動作の態様は、図７から１０を参照して説明されたコアセットマネージャまたは制御情報マネージャによって行われ得る。
【０１１８】
[0127]  図１５は、本開示の様々な態様による、ＳＳブロックとコアセットとの多重化の方法１５００を示す流れ図を示す。方法１５００の動作は、本明細書で説明されるように、基地局１０５またはその構成要素によって実施され得る。例えば、方法１５００の動作は、図１１から１３を参照して説明された基地局通信マネージャによって行われ得る。いくつかの例では、基地局１０５は、下で説明される機能を行うようにデバイスの機能要素を制御するためにコードのセットを実行し得る。それに加えてまたはその代わりに、基地局１０５は、特殊目的ハードウェアを使用して、下で説明される機能の態様を行い得る。
【０１１９】
[0128]  ブロック１５０５で、基地局１０５は、１つまたは複数のＵＥに送信すべきＳＳブロックを識別でき、ＳＳブロックは、同期信号とＰＢＣＨとを備える。ブロック１５０５の動作は、本明細書で説明される方法に従って行われ得る。ある種の例では、ブロック１５０５の動作の態様は、図１１から１３を参照して説明された同期マネージャによって行われ得る。
【０１２０】
[0129]  ブロック１５１０で、基地局１０５は、コアセットの制御チャネル内で１つまたは複数のＵＥに送信すべき制御情報を識別し得る。ブロック１５１０の動作は、本明細書で説明される方法に従って行われ得る。ある種の例では、ブロック１５１０の動作の態様は、図１１から１３を参照して説明された制御情報マネージャによって行われ得る。
【０１２１】
[0130]  ブロック１５１５で、基地局１０５は、同期信号とＰＢＣＨとを備えるＳＳブロックを送信でき、ＰＢＣＨは、コアセットの構成を指示するコアセット構成指示と、コアセットおよびＳＳブロックが時分割多重化され、周波数分割多重化され、またはその両方であるかどうかを指示する多重化指示とを備える。ブロック１５１５の動作は、本明細書で説明される方法に従って行われ得る。ある種の例では、ブロック１５１５の動作の態様は、図１１から１３を参照して説明された同期マネージャによって行われ得る。
【０１２２】
[0131]  ブロック１５２０で、基地局１０５は、コアセットの制御チャネル内でＵＥに制御情報を送信し得る。ブロック１５２０の動作は、本明細書で説明される方法に従って行われ得る。ある種の例では、ブロック１５２０の動作の態様は、図１１から１３を参照して説明された制御情報マネージャによって行われ得る。
【０１２３】
[0132]  上で説明された方法が、可能な実施形態を説明することと、動作およびステップが、再配置されまたは他の形で変更され得ることと、他の実施形態が可能であることとに留意されたい。さらに、複数の方法からの態様が、組み合わされ得る。
【０１２４】
[0133]  本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一搬送波周波数分割多元接続（ＳＣ−ＦＤＭＡ）、および他のシステムなど、様々なワイヤレス通信システムに使用され得る。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）、その他などの無線技術を実施し得る。ＣＤＭＡ２０００は、ＩＳ−２０００標準規格と、ＩＳ−９５標準規格と、ＩＳ−８５６標準規格とをカバーする。ＩＳ−２０００の諸リリースは、ＣＤＭＡ２０００  １Ｘと、１Ｘなどと一般に呼ばれ得る。ＩＳ−８５６（ＴＩＡ−８５６）は、ＣＤＭＡ２０００  １ｘＥＶ−ＤＯと、Ｈｉｇｈ  Ｒａｔｅ  Ｐａｃｋｅｔ  Ｄａｔａ（ＨＲＰＤ）などと一般に呼ばれる。ＵＴＲＡは、Ｗｉｄｅｂａｎｄ  ＣＤＭＡ（ＷＣＤＭＡ（登録商標））とＣＤＭＡの他のバージョンとを含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実施し得る。
【０１２５】
[0134]  ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、電気電子技術者協会（ＩＥＥＥ）８０２．１１（Ｗｉ−Ｆｉ（登録商標））、ＩＥＥＥ  ８０２．１６（ＷｉＭＡＸ（登録商標））、ＩＥＥＥ  ８０２．２０、Ｆｌａｓｈ−ＯＦＤＭ、その他などの無線技術を実施し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ（登録商標））と命名された組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と命名された組織からの文書に記載されている。本明細書で説明された技法は、上で言及されたシステムと無線技術と並びに他のシステムと無線技術とに使用され得る。ＬＴＥまたはＮＲシステムの諸態様が、例として説明される場合があり、ＬＴＥまたはＮＲ技術が、説明の多くで使用され得るが、本明細書で説明される技術は、ＬＴＥまたはＮＲ応用例を超えて適用可能である。
【０１２６】
[0135]  マクロセルは、全般的に、相対的に大きい地理的エリア（例えば、半径数キロメートル）をカバーし、ネットワークプロバイダとのサービスサブスクリプションを有するＵＥ  １１５による制限されないアクセスを許し得る。スモールセルは、マクロセルと比較して、より低電力の基地局１０５に関連付けられ得、スモールセルは、マクロセルと同一のまたは異なる（例えば、免許交付された、免許不要のなど）周波数帯で動作し得る。スモールセルは、様々な例に従ってピコセルとフェムトセルとマイクロセルとを含み得る。ピコセルは、例えば、小さい地理的エリアをカバーでき、ネットワークプロバイダとのサービスサブスクリプションを有するＵＥ  １１５による制限されないアクセスを許し得る。フェムトセルも、小さい地理的エリア（例えば、自宅）をカバーでき、フェムトセルとの関連付けを有するＵＥ  １１５（例えば、限定加入者グループ（ＣＳＧ）に含まれるＵＥ  １１５、自宅内のユーザのＵＥ  １１５、および類似物）により制限されたアクセスを提供し得る。マクロセルのｅＮＢは、マクロｅＮＢと呼ばれる場合がある。スモールセルのｅＮＢは、スモールセルｅＮＢ、ピコｅＮＢ、フェムトｅＮＢ、またはホームｅＮＢと呼ばれる場合がある。ｅＮＢは、１つまたは複数（例えば、２つ、３つ、４つ、および類似物）のセルをサポートでき、１つまたは複数のコンポーネントキャリアを使用する通信をサポートすることもできる。
【０１２７】
[0136]  ワイヤレス通信システム１００または本明細書で説明されるシステムは、同期動作または非同期動作をサポートし得る。同期動作に関して、基地局１０５は、類似するフレームタイミングを有することができ、異なる基地局１０５からの送信は、時間的にほぼ整列され得る。非同期動作に関して、基地局１０５は、異なるフレームタイミングを有することができ、異なる基地局１０５からの送信は、時間的に整列されないものであり得る。本明細書で説明される技法は、同期動作または非同期動作のどちらにも使用され得る。
【０１２８】
[0137]  本明細書で説明される情報および信号は、様々な異なる技術と技法とのいずれを使用しても表現され得る。例えば、上の説明全体を通じて参照され得るデータ、命令、コマンド、情報、信号、ビット、シンボル、およびチップは、電圧、電流、電磁波、磁場、磁性粒子、光学場、光学粒子、またはその任意の組合せによって表現され得る。
【０１２９】
[0138]  本明細書の開示に関連して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、ディスクリートゲート論理もしくはトランジスタ論理、ディスクリートハードウェア構成要素、または本明細書で説明される機能を行うように設計されたその任意の組合せを用いて実施または行われ得る。汎用プロセッサは、マイクロプロセッサとし得るが、代替案では、プロセッサは、従来のプロセッサ、コントローラ、マイクロコントローラ、または状態機械であり得る。プロセッサは、コンピューティングデバイスの組合せ（例えば、ＤＳＰとマイクロプロセッサとの組合せ、複数のマイクロプロセッサ、ＤＳＰコアに関連する１つまたは複数のマイクロプロセッサ、または任意の他のそのような構成）としても実施され得る。
【０１３０】
[0139]  本明細書で説明される機能は、ハードウェア、プロセッサによって実行されるソフトウェア、ファームウェア、またはその任意の組合せで実施され得る。プロセッサによって実行されるソフトウェアで実施される場合に、機能は、コンピュータ可読媒体上の１つまたは複数の命令またはコードとして記憶されまたはこれを介して送信され得る。他の例および実施形態は、本開示および添付の特許請求の範囲に含まれる。例えば、ソフトウェアの性質に起因して、上で説明された機能は、プロセッサによって実行されるソフトウェア、ハードウェア、ファームウェア、ハードワイヤリング、またはこれらのいずれかの組合せを使用して実施され得る。機能を実施する特徴は、機能の諸部分が異なる物理位置で実施されるように分散されることを含めて、様々な位置に物理的に配置され得る。
【０１３１】
[0140]  コンピュータ可読媒体は、ある場所から別の場所へのコンピュータプログラムの転送を容易にする全ての媒体を含む、非一時的コンピュータ記憶媒体と通信媒体との両方を含む。非一時的記憶媒体は、汎用コンピュータまたは特殊目的コンピュータによってアクセスされ得る全ての使用可能な媒体であり得る。限定ではなく例として、非一時的コンピュータ可読媒体は、ランダムアクセスメモリ（ＲＡＭ）、読取専用メモリ（ＲＯＭ）、電気的消去可能プログラム可能読取専用メモリ（ＥＥＰＲＯＭ（登録商標））、フラッシュメモリ、コンパクトディスク（ｄｉｓｋ）（ＣＤ）ＲＯＭもしくは他の光学ディスク（ｄｉｓｋ）ストレージ、磁気ディスク（ｄｉｓｋ）ストレージもしくは他の磁気ストレージデバイス、あるいは、命令またはデータ構造の形で所望のプログラムコード手段を担持しまたは記憶するのに使用され得、汎用コンピュータもしくは特殊目的コンピュータまたは汎用プロセッサもしくは特殊目的プロセッサによってアクセスされ得る任意の他の非一時的媒体を備え得る。また、全ての接続は、当然、コンピュータ可読媒体と呼ばれる。例えば、ソフトウェアが、同軸ケーブル、光ファイバケーブル、より対線、デジタル加入者回線（ＤＳＬ）、または赤外線、無線、およびマイクロ波などのワイヤレス技術を使用してウェブサイト、サーバ、または他のリモートソースから送信される場合に、同軸ケーブル、光ファイバケーブル、より対線、ＤＳＬ、または赤外線、無線、およびマイクロ波などのワイヤレス技術は、媒体の定義に含まれる。ディスク（ｄｉｓｋおよびｄｉｓｃ）は、本明細書で使用される時に、ＣＤと、レーザーディスク（登録商標）（ｄｉｓｃ）と、光ディスク（ｄｉｓｃ）と、デジタル多用途ディスク（ｄｉｓｃ）（ＤＶＤ）と、フロッピー（登録商標）ディスク（ｄｉｓｋ）と、Ｂｌｕ−ｒａｙ（登録商標）ディスク（ｄｉｓｃ）とを含み、ｄｉｓｋは、通常は磁気的にデータを再生し、ｄｉｓｃはレーザーを用いて光学的にデータを再生する。上記の組合せも、コンピュータ可読媒体の範囲内に含まれる。
【０１３２】
[0141]  特許請求の範囲を含めて本明細書で使用される時に、項目のリスト（例えば、「ａｔ  ｌｅａｓｔ  ｏｎｅ  ｏｆ（〜のうちの少なくとも１つ）」または「ｏｎｅ  ｏｒ  ｍｏｒｅ  ｏｆ（〜のうちの１つまたは複数）」などの句によって先行される項目のリスト）内で使用される「ｏｒ（または、もしくは、あるいは）」は、例えばＡ、Ｂ、またはＣのうちの少なくとも１つのリストが、Ａ、Ｂ、Ｃ、ＡＢ、ＡＣ、ＢＣ、またはＡＢＣ（すなわち、ＡとＢとＣと）を意味するような、包含的なリストを示す。また、本明細書で使用される時に、句「ｂａｓｅｄ  ｏｎ（〜に基づく）」は、条件の閉じられたセットへの言及と解釈されてはならない。例えば、「ｂａｓｅｄ  ｏｎ  ｃｏｎｄｉｔｉｏｎ  Ａ（条件Ａに基づく）」と説明される例示的なステップは、本開示の範囲から逸脱せずに、条件Ａと条件Ｂとの両方に基づき得る。言い換えると、本明細書で使用される時に、句「ｂａｓｅｄ  ｏｎ（〜に基づく）」は、句「ｂａｓｅｄ  ａｔ  ｌｅａｓｔ  ｉｎ  ｐａｒｔ  ｏｎ（〜に少なくとも部分的に基づく）」と同一の形で解釈されなければならない。
【０１３３】
[0142]  添付図面では、同様の構成要素または特徴が、同一の参照ラベルを有する場合がある。さらに、同一のタイプの様々な構成要素は、参照ラベルに、ダッシュと同様の構成要素の間で区別する第２のラベルとを続けることによって区別される場合がある。第１の参照ラベルだけが本明細書で使用される場合には、その説明は、第２の参照ラベルまたは後続の他の参照ラベルに関わりなく、同一の第１の参照ラベルを有する類似する構成要素のうちの任意の１つに適用可能である。
【０１３４】
[0143]  添付図面に関連して本明細書で示される説明は、例の構成を説明し、実施され得るまたは特許請求の範囲の範囲内の全ての例を表すものではない。本明細書で使用される用語「例示的」は、「例、事例、または例示として働く」を意味し、「好ましい」または「他の例より有利」を意味しない。詳細な説明は、説明される技法の理解を提供するために特定の詳細を含む。しかし、これらの技法は、これらの特定の詳細なしで実践され得る。いくつかの事例では、周知の構造およびデバイスは、説明される例の概念を不明瞭にすることを回避するために、ブロック図形式で示される。
【０１３５】
[0144]  本明細書の説明は、当業者が本開示を作成しまたは使用することを可能にするために提供されるものである。本開示に対する様々な変更は、当業者にたやすく明確になり、本明細書で定義される包括的な原理は、本開示の範囲から逸脱せずに他の変形形態に適用され得る。従って、本開示は、本明細書で説明される例および設計に限定されるのではなく、本明細書で開示される原理および新規の特徴と一貫する最も広い範囲を与えられなければならない。
【図１】
2020534740.tif 000003
【図２】
2020534740.tif 000004
【図３】
2020534740.tif 000005
【図４Ａ】
2020534740.tif 000006
【図４Ｂ】
2020534740.tif 000007
【図４Ｃ】
2020534740.tif 000008
【図５】
2020534740.tif 000009
【図６】
2020534740.tif 000010
【図７】
2020534740.tif 000011
【図８】
2020534740.tif 000012
【図９】
2020534740.tif 000013
【図１０】
2020534740.tif 000014
【図１１】
2020534740.tif 000015
【図１２】
2020534740.tif 000016
【図１３】
2020534740.tif 000017
【図１４】
2020534740.tif 000018
【図１５】
2020534740.tif 000019
【国際調査報告】
2020534740.tif 000020
2020534740.tif 000021